(57)【要約】【課題】時系列上の２点間の情報を容易に確認可能とする。【解決手段】取得部は、情報を第１の時系列に従い順次に取得する。第１の時系列に対して、第１の時点と、第１の時点よりも第１の時系列上で後の第２の時点とを設定する。取得部により取得された情報のうち、第１の時点と、第２の時点よりも時系列上で後の第３の時点との間に含まれる対象情報を、第２の時点から第３の時点までの間に、第１の時系列に対して単位時間が短い第２の時系列に従い提示する。【選択図】図３８
2018032912.tif 000002
【特許請求の範囲】
【請求項１】
情報を第１の時系列に従い順次に取得する取得部と、
前記第１の時系列に対して、第１の時点と、該第１の時点よりも前記第１の時系列上で後の第２の時点とを設定する設定部と、
前記取得部により取得された前記情報のうち、前記第１の時点と、前記第２の時点よりも前記時系列上で後の第３の時点との間に含まれる対象情報を、該第２の時点から該第３の時点までの間に、前記第１の時系列に対して単位時間が短い第２の時系列に従い提示する提示部と
を備える情報処理装置。
【請求項２】
前記設定部は、
ユーザのアクションを受け付けた時間に応じて前記第１の時点および前記第２の時点を設定する
請求項１に記載の情報処理装置。
【請求項３】
前記第３の時点は、前記取得部に取得される最新の時間に対応する
請求項１または請求項２に記載の情報処理装置。
【請求項４】
前記取得部が取得する情報は、音声情報であって、
前記音声情報に含まれる無音部分を検出する検出部をさらに備え、
前記提示部は、
前記検出部で検出された前記無音部分をスキップして該音声情報を提示する
請求項１乃至請求項３の何れか１項に記載の情報処理装置。
【請求項５】
取得部が取得する情報は、音声情報であって、
前記音声情報をテキスト情報に変換する変換部をさらに備え、
前記提示部は、
前記変換部で前記音声情報が変換された前記テキスト情報を提示する
請求項１乃至請求項３の何れか１項に記載の情報処理装置。
【請求項６】
前記変換部は、
前記第１の時系列上の区間において前記取得部に取得された前記音声情報を前記テキスト情報に変換し、
直前の前記変換が行われた前記区間において前記取得部に取得された前記音声情報を、該変換が終了した時点から前記テキスト情報に変換する
請求項５に記載の情報処理装置。
【請求項７】
前記取得部が取得する前記情報は、画像情報であって、
前記提示部は、
前記第１の時系列上で前記第１の時点から前記第２の時点の間に前記取得部に取得された前記画像情報を、ユーザのアクションに応じて切り替える
請求項１乃至請求項３の何れか１項に記載の情報処理装置。
【請求項８】
前記提示部は、
前記第１の時系列上の時間と、前記第２の時系列上の時間とが一致する時点で、前記対象情報を提示する時系列を前記第２の時系列から前記第１の時系列に切り替える
請求項１乃至請求項７の何れか１項に記載の情報処理装置。
【請求項９】
情報を第１の時系列に従い順次に取得する取得ステップと、
前記第１の時系列に対して、第１の時点と、該第１の時点よりも前記第１の時系列上で後の第２の時点とを設定する設定ステップと、
前記取得ステップにより取得された前記情報のうち、前記第１の時点と、前記第２の時点よりも前記時系列上で後の第３の時点との間に含まれる対象情報を、該第２の時点から該第３の時点までの間に、前記第１の時系列に対して単位時間が短い第２の時系列に従い提示する提示ステップと
を有する情報処理方法。
【請求項１０】
情報を第１の時系列に従い順次に取得する取得ステップと、
前記第１の時系列に対して、第１の時点と、該第１の時点よりも前記第１の時系列上で後の第２の時点とを設定する設定ステップと、
前記取得ステップにより取得された前記情報のうち、前記第１の時点と、前記第２の時点よりも前記時系列上で後の第３の時点との間に含まれる対象情報を、該第２の時点から該第３の時点までの間に、前記第１の時系列に対して単位時間が短い第２の時系列に従い提示する提示ステップと
をコンピュータに実行させるための情報処理プログラム。
【請求項１１】
端末装置と情報処理装置とを含む情報処理システムであって、
前記端末装置は、
ユーザのアクションに応じた入力がなされる入力部と、
情報を再生する再生部と
を備え、
前記情報処理装置は、
情報を第１の時系列に従い順次に取得する取得部と、
前記入力部に入力された前記アクションに応じて、前記第１の時系列に対して、第１の時点と、該第１の時点よりも前記第１の時系列上で後の第２の時点とを設定する設定部と、
前記取得部により取得された前記情報のうち、前記第１の時点と、前記第２の時点よりも前記時系列上で後の第３の時点との間に含まれる対象情報を、該第２の時点から該第３の時点までの間に、前記第１の時系列に対して単位時間が短い第２の時系列に従い前記端末装置に提示する提示部と
を備える情報処理システム。
【発明の詳細な説明】
【技術分野】
【０００１】
本発明は、情報処理装置、情報処理方法、情報処理プログラムおよび情報処理システムに関する。
【背景技術】
【０００２】
会議などの様子を音声や映像として収録すると共に、会議の進行と並行して入力されたテキストを、入力開始からの経過時間情報を付加して記録する議事録作成再生システムが知られている（例えば特許文献１：特開２００８−１７２５８２号公報）。また、記録媒体に記録した音声や映像を、記録時の速度よりも高速に再生する技術が知られている。
【発明の概要】
【発明が解決しようとする課題】
【０００３】
ここで、上述したような議事録作成システムで例えば音声を収録している会議を想定し、この会議において、ある参加者が一時的に退席し、復帰時に、退席中の会議内容を、収録した音声にて確認する場合について考える。この場合、会議に復帰した参加者は、会議の時系列上において、少なくとも退席した時点から復帰した時点までの間に収録した音声を、議事の進行に間に合わせるように再生する必要がある。ところが、音声を単純に高速再生した場合、再生した音声を認識することが困難な場合があるという問題点があった。
【０００４】
本発明は、上記に鑑みてなされたもので、時系列上の２点間の情報を容易に確認可能とすることを目的とする。
【課題を解決するための手段】
【０００５】
上述した課題を解決し、目的を達成するために、本発明は、情報を第１の時系列に従い順次に取得する取得部と、第１の時系列に対して、第１の時点と、第１の時点よりも第１の時系列上で後の第２の時点とを設定する設定部と、取得部により取得された情報のうち、第１の時点と、第２の時点よりも時系列上で後の第３の時点との間に含まれる対象情報を、第２の時点から第３の時点までの間に、第１の時系列に対して単位時間が短い第２の時系列に従い提示する提示部とを備える。
【発明の効果】
【０００６】
本発明によれば、時系列上の２点間の情報を容易に確認可能となるという効果を奏する。
【図面の簡単な説明】
【０００７】
【図１】図１は、実施形態に適用可能な情報処理システムの一例の構成を示すブロック図である。
【図２】図２は、実施形態に適用可能なサーバ装置の一例のハードウェア構成を示すブロック図である。
【図３】図３は、実施形態に適用可能な電子黒板の一例のハードウェア構成を示すブロック図である。
【図４】図４は、実施形態に適用可能な端末装置の一例のハードウェア構成を示すブロック図である。
【図５】図５は、実施形態に適用可能な端末装置の一例のハードウェア構成を示すブロック図である。
【図６】図６は、実施形態に適用可能な情報処理システムにおける各情報の流れについて概略的に説明するための図である。
【図７】図７は、実施形態に適用可能な時系列について概略的に示す図である。
【図８】図８は、図１に示したサーバ装置の機能を説明するための一例の機能ブロック図である。
【図９】図９は、実施形態に適用可能なプロジェクト選択画面の例を示す図である。
【図１０】図１０は、実施形態に係るプロジェクト管理部の機能を説明するための一例の機能ブロック図である。
【図１１】図１１は、実施形態に適用可能な端末装置の機能を説明するための一例の機能ブロック図を示す。
【図１２】図１２は、実施形態に適用可能な、会議の準備段階におけるサーバ装置の処理を示す一例のフローチャートである。
【図１３】図１３は、実施形態に適用可能な会議管理画面の例を示す図である。
【図１４】図１４は、実施形態に適用可能な議題設定画面の例を示す図である。
【図１５】図１５は、実施形態に適用可能な、各情報の入力などが完了した場合の会議管理画面の例を示す図である。
【図１６】図１６は、実施形態に適用可能な、電子黒板に表示される会議開始画面の例を示す図である。
【図１７】図１７は、実施形態に適用可能な、電子黒板における処理を概略的に示す一例のフローチャートである。
【図１８】図１８は、実施形態に適用可能な、会議の開始を通知するための会議開始通知画面の例を示す図である。
【図１９】図１９は、実施形態に適用可能な描画画面の例を示す図である。
【図２０−１】図２０−１は、実施形態に適用可能な、ファイルリストが表示された描画画面の例を示す図である。
【図２０−２】図２０−２は、実施形態に適用可能な、描画領域にファイルに基づく画像が表示された例を示す図である。
【図２１】図２１は、実施形態に適用可能な、描画による画像が資料データによる画像に重畳して表示された例を示す図である。
【図２２】図２２は、実施形態に適用可能な、描画領域内に予め定められた領域内に表示される画像を保存する例を示す図である。
【図２３】図２３は、実施形態に適用可能な留意事項マークおよび決定事項マークを設定するための処理を示す一例のフローチャートである。
【図２４】図２４は、実施形態に適用可能な留意事項入力画面の例を示す図である。
【図２５】図２５は、実施形態に適用可能な決定事項入力画面の例を示す図である。
【図２６】図２６は、実施形態に適用可能な、留意事項および決定事項に関するマーカ情報について概略的に示す図である。
【図２７】図２７は、実施形態に適用可能な、端末装置における会議閲覧画面の例を示す図である。
【図２８】図２８は、実施形態に適用可能な、端末装置における会議閲覧画面に、会議端末のカメラで撮影された映像を表示させた例を示す図である。
【図２９】図２９は、実施形態に適用可能な、描画領域表示モードの画面の例を示す図である。
【図３０】図３０は、実施形態に適用可能な、タイムライン表示画面の例を示す図である。
【図３１】図３１は、実施形態に適用可能な、議題表示画面の例を示す図である。
【図３２】図３２は、実施形態に適用可能な、アクションアイテムのより詳細な内容が表示された画面の例を示す図である。
【図３３】図３３は、実施形態に適用可能なマーカ処理について説明するための図である。
【図３４】図３４は、実施形態に適用可能なマーカ処理について説明するための図である。
【図３５】図３５は、実施形態に適用可能なマーカ処理について説明するための図である。
【図３６】図３６は、実施形態に適用可能なマーカ処理について説明するための図である。
【図３７】図３７は、実施形態に係る、会議閲覧画面に対してユーザの退席および復帰を示すマーカを設定するためのボタンを設けた例を示す図である。
【図３８】図３８は、実施形態に適用可能な、会議の進行を概略的に示す図である。
【図３９】図３９は、第１の実施形態に係る処理を概略的に説明するための図である。
【図４０】図４０は、第１の実施形態に適用可能な映像音声処理部の一例の構成を示すブロック図である。
【図４１】図４１は、第１の実施形態に係る音声データ再生処理を示す一例のフローチャートである。
【図４２】図４２は、第２の実施形態に係る再生処理を概略的に示す図である。
【図４３】図４３は、第２の実施形態の変形例について概略的に説明するための図である。
【図４４】図４４は、第２の実施形態およびその変形例に共通して適用可能な無音区間の検出方法の例を概略的に説明するための図である。
【図４５】図４５は、第２の実施形態およびその変形例に係る音声データ再生処理を示す一例のフローチャートである。
【図４６】図４６は、第３の実施形態に係る処理を概略的に説明するための図である。
【図４７】図４７は、第３の実施形態に適用可能なテキスト化部の一例の構成を示すブロック図である。
【図４８】図４８は、第３の実施形態に係るテキスト変換処理を示す一例のフローチャートである。
【図４９】図４９は、第３の実施形態に係る、音声データが変換されたテキスト情報が表示されるタイムライン表示画面の例を示す図である。
【図５０】図５０は、各実施形態に適用可能な、退席および復帰を示すマーカをそれぞれ含むマーカ一覧画面の例を示す図である。
【発明を実施するための形態】
【０００８】
以下に添付図面を参照して、情報処理装置、情報処理方法、情報処理プログラムおよび情報処理システムの実施形態を詳細に説明する。
【０００９】
（実施形態に適用可能な構成）
図１は、実施形態に適用可能な情報処理システムの一例の構成を示す。図１において、情報処理システム１は、情報処理装置としてのサーバ装置１０を含み、サーバ装置１０は、ＬＡＮ(Local  Area  Network)といったネットワーク１２を介して、１以上の会議室２ａ、２ｂ、…内の機器と接続される。
【００１０】
例えば会議室２ａは、それぞれネットワーク１２に接続される１以上の端末装置２０ａおよび２０ｂと、電子黒板２２と、センサＩ／Ｆ（インタフェース）２３と、会議端末２５とを含む。端末装置２０ａおよび２０ｂは、デスクトップ型あるいはノート型のパーソナルコンピュータや、タブレット型コンピュータを適用できる。端末装置２０ａおよび２０ｂは、有線または無線通信により、ネットワーク１２に接続される。また、端末装置２０ａおよび２０ｂは、それぞれマイクロホンを内蔵または接続可能とされ、マイクロホンで収音された音声を音声データとして処理可能とされているものとする。
【００１１】
詳細は後述するが、電子黒板２２は、入力デバイスと表示デバイスとが一体的に構成された大型のタッチパネルと、ＣＰＵ(Central  Processing  Unit)、メモリおよび通信Ｉ／Ｆとを備え、例えば会議室２ａに固定的に設置される。電子黒板２２は、ユーザのタッチパネルに対する描画動作に応じて、タッチパネルの表示デバイスによる表示が更新される。また、電子黒板２２は、ネットワーク１２を介して転送されたデータに応じた表示を行うことができ、また、表示デバイスによる表示画面の画像データを保存することができる。
【００１２】
センサＩ／Ｆ２３は、１以上のセンサ２４1、２４2、…が接続される。各センサ２４1、２４2、…は、会議室２ａ内の環境情報を検知する。会議室２ａの環境情報は、例えば、会議室２ａに設置された室内灯が点灯しているか否か、ドアの開閉状態などを含む。センサＩ／Ｆ２３は、各センサ２４1、２４2、…の出力に応じた各検知結果を、ネットワーク１２を介してサーバ装置１０に送信する。
【００１３】
会議端末２５は、例えばスピーカ（ＳＰ）２５ａと、マイクロホン（ＭＩＣ）２５ｂと、動画撮影の可能なカメラ２５ｃとを含む。会議端末２５は、例えば会議室２ａに固定的に設置され、マイクロホン２５ｂで収音された音声による音声データと、カメラ２５ｃに撮影された撮影画像データとをネットワーク１２を介してサーバ装置１０に送信する。また、会議端末２５は、例えばサーバ装置１０からネットワーク１２を介して送信された音声データに基づく音声を、スピーカ２５ａにより再生する。
【００１４】
会議室２ａにおいて、電子黒板２２や各端末装置２０ａ、２０ｂは、例えば各端末装置２０ａ、２０ｂを使用する各ユーザが、それぞれの端末装置を操作可能なポジションにおいて電子黒板２２の表示を確認可能な位置関係にあることが考えられる。また、会議端末２５は、カメラ２５ｃが少なくとも電子黒板２２の表示を撮影可能とされ、スピーカ２５ａによる再生音が会議室２ａ内の各ユーザに聞き取り可能とされ、さらに、マイクロホン２５ｂにより会議室２ａ内の各ユーザによる発言を収音可能となるように設置される。
【００１５】
会議室２ｂは、会議室２ａと略同様の構成であるので、説明を省略する。なお、各会議室２ａ、２ｂ、…は、含有される各機器がサーバ装置１０と接続可能であれば、位置関係および形態などは限定されない。
【００１６】
情報処理システム１は、この会議室２ａに含まれる各端末装置２０ａおよび２０ｂと、電子黒板２２と、センサＩ／Ｆ２３および各センサ２４1、２４2、…と、会議端末２５をさらに含む。同様に、情報処理システム１は、会議室２ｂに含まれる、会議室２ａと同様の各構成をさらに含んでもよい。
【００１７】
情報処理システム１は、さらに、サーバ装置１０に対してインターネットといった外部のネットワーク３０を介して接続される１以上の端末装置２０ｃおよび２０ｄを含む。これら端末装置２０ｃおよび２０ｄは、例えば会議室２ａを少なくとも直接観察できない、会議室２ａに対して遠隔の場所において使用されるものとする。
【００１８】
また、この例では、端末装置２０ｃがデスクトップ型コンピュータといった非モバイルデバイス、端末装置２０ｄが多機能型携帯電話端末（スマートフォン）あるいはタブレット型コンピュータといったモバイルデバイスであるものとして示している。なお、ここでは、ノート型コンピュータも非モバイルデバイスに含めるものとし、端末装置２０ｃは、ノート型コンピュータであってもよい。端末装置２０ｃおよび２０ｄは、それぞれマイクロホンおよびカメラを内蔵または接続可能とされ、マイクロホンで収音された音声、および、カメラで撮影された撮影映像を、それぞれ音声データおよび映像データとして処理可能とされているものとする。
【００１９】
図２は、実施形態に適用可能なサーバ装置１０の一例のハードウェア構成を示す。図２において、サーバ装置１０は、ＣＰＵ１０００と、ＲＯＭ(Read  Only  Memory)１００１と、ＲＡＭ(Random  Access  Memory)１００２と、ストレージ１００３と、通信Ｉ／Ｆ１００４とを含み、これら各部がバス１０１０により互いに通信可能に接続される。
【００２０】
ストレージ１００３は、ハードディスクドライブや不揮発性半導体メモリにより構成され、ＣＰＵ１０００が動作するための各種プログラムやデータが格納される。また、ＲＯＭ１００１は、例えばサーバ装置１０が起動、動作するために用いるプログラムやデータが予め記憶される。ＣＰＵ１０００は、ストレージ１００３やＲＯＭ１００１に格納されるプログラムに従い、ＲＡＭ１００２をワークエリアとして用いて動作し、サーバ装置１０の全体の動作を制御する。通信Ｉ／Ｆ１００４は、ＣＰＵ１０００の指示に従い、ネットワーク１２を介した通信を制御する。
【００２１】
図３は、実施形態に適用可能な電子黒板２２の一例のハードウェア構成を示す。図３において、電子黒板２２は、ＣＰＵ２０２０と、ＲＯＭ２０２１と、ＲＡＭ２０２２と、ストレージ２０２３と、通信Ｉ／Ｆ２０２４と、グラフィクスＩ／Ｆ２０２５と、入力Ｉ／Ｆ２０２６とを含み、これら各部がバス２０２８により互いに通信可能に接続される。このように、電子黒板２２は、ＣＰＵ２０２０と、ＲＯＭ２０２１およびＲＡＭ２０２２とを含み、コンピュータであると見做すことができる。
【００２２】
電子黒板２２は、ディスプレイ２０２７ａと、入力デバイス２０２７ｂとをさらに含む。ディスプレイ２０２７ａおよび入力デバイス２０２７ｂは、一体的に形成されて、所謂タッチパネル２０２７を構成する。
【００２３】
ストレージ２０２３は、ハードディスクドライブや不揮発性半導体メモリにより構成され、ＣＰＵ２０２０が動作するための各種プログラムやデータが格納される。また、ＲＯＭ２０２１は、例えば電子黒板２２が起動、動作するために用いるプログラムやデータが予め記憶される。ＣＰＵ２０２０は、ストレージ２０２３やＲＯＭ２０２１に格納されるプログラムに従い、ＲＡＭ２０２２をワークエリアとして用いて動作し、電子黒板２２の全体の動作を制御する。通信Ｉ／Ｆ２０２４は、ＣＰＵ２０２０の指示に従い、ネットワーク１２を介した通信を制御する。
【００２４】
グラフィクスＩ／Ｆ２０２５は、ＣＰＵ２０２０によりプログラムに従い生成された表示制御信号を、ディスプレイ２０２７ａが対応可能な表示信号に変換してディスプレイ２０２７ａに供給する。ディスプレイ２０２７ａは、表示デバイスとしての例えばＬＣＤ(Liquid  Crystal  Display)と、表示デバイスを表示信号に従い駆動する駆動回路とを含む。入力Ｉ／Ｆ２０２６は、入力デバイス２０２７ｂから、例えば入力デバイス２０２７ｂに対する接触操作に応じて出力された信号を、ＣＰＵ２０２０が対応可能な制御信号に変換して、バス２０２８に出力する。
【００２５】
図４は、実施形態に適用可能な端末装置２０ｃの一例のハードウェア構成を示す。なお、端末装置２０ａおよび２０ｂは、端末装置２０ｃと同等の構成であるものとし、ここでの説明を省略する。
【００２６】
図４において、端末装置２０ｃは、ＣＰＵ２０００と、ＲＯＭ２００１と、ＲＡＭ２００２と、グラフィクスＩ／Ｆ２００３と、ストレージ２００４と、入力Ｉ／Ｆ２００５と、音声Ｉ／Ｆ２００６と、通信Ｉ／Ｆ２００７と、映像Ｉ／Ｆ２００８とを含み、これら各部がバス２０１０により互いに通信可能に接続される。
【００２７】
ストレージ２００４は、ハードディスクドライブや不揮発性半導体メモリにより構成され、ＣＰＵ２０００が動作するための各種プログラムやデータが格納される。ストレージ２００４に格納されるプログラムの例としては、端末装置２０ｃの基本的な動作を制御するＯＳ(Operating  System)や、ＨＴＭＬ(HyperText  Markup  Language)データに基づき表示や各種制御を行うブラウザアプリケーションプログラム（以下、ブラウザ）がある。また、ＲＯＭ２００１は、端末装置２０ｃが起動、動作するために用いるプログラムやデータが予め記憶される。ＣＰＵ２０００は、ストレージ２００４やＲＯＭ２００１に格納されるプログラムに従い、ＲＡＭ２００２をワークエリアとして用いて動作し、端末装置２０ｃの全体の動作を制御する。
【００２８】
グラフィクスＩ／Ｆ２００３は、ＣＰＵ２０００によりプログラムに従い生成された表示制御信号を、ディスプレイ２０１１が対応可能な表示信号に変換して、ディスプレイ２０１１に供給する。ディスプレイ２０１１は、例えば表示バイスとしてのＬＣＤと、表示信号に従い表示デバイスを駆動する駆動回路とを含む。
【００２９】
入力Ｉ／Ｆ２００５は、マウスなどのポインティングデバイスや、キーボードといった入力デバイス２０１２が接続される。入力Ｉ／Ｆ２００５は、入力デバイス２０１２に対するユーザ操作に応じて入力デバイスから出力される信号を、ＣＰＵ２０００が対応可能な制御信号に変換してバス２０１０に出力する。これに限らず、入力Ｉ／Ｆ２００５は、外部機器との間でデータの送受信を行う例えばＵＳＢ(Universal  Serial  Bus)といったデータＩ／Ｆを含んでいてもよい。
【００３０】
音声Ｉ／Ｆ２００６は、例えばマイクロホン（ＭＩＣ）２０１３から供給されるアナログ方式の音声信号を、ディジタル方式の音声データに変換して、バス２０１０に出力する。また、音声Ｉ／Ｆ２００６は、バス２０１０を介して供給されたディジタル方式の音声データを、アナログ方式の音声信号に変換して、スピーカ（ＳＰ）２０１４に出力する。スピーカ２０１４は、音声Ｉ／Ｆ２００６から出力され供給された音声信号に従い、音声を再生する。
【００３１】
通信Ｉ／Ｆ２００７は、ＣＰＵ２０００の指示に従い、ネットワーク１２を介した通信を制御する。
【００３２】
映像Ｉ／Ｆ２００８は、被写体を撮影し撮影画像データを出力するカメラ２０１５が接続される。なお、カメラ２０１５は、動画撮影が可能であり、毎秒６０フレームといったフレームレートで、動画撮影を行った撮影画像データを出力する。映像Ｉ／Ｆ２００８は、カメラ２０１５から出力される撮影画像データをバス２０１０に対して出力する。
【００３３】
図５は、実施形態に適用可能な、タブレット型コンピュータまたはスマートフォンとしての端末装置２０ｄの一例のハードウェア構成を示す。なお、図５において、上述した図４と共通する部分には同一の符号を付して、詳細な説明を省略する。
【００３４】
図５において、端末装置２０ｄは、上述した端末装置２０ｃの構成に対して、９軸センサ２０１６と、ＧＮＳＳ部２０１７とが追加されている。９軸センサ２０１６は、それぞれｘ，ｙ，ｚの３軸にて検知を行うジャイロセンサ（角速度センサ）、加速度センサ、地磁気センサを含み、端末装置２０ｄ（９軸センサ２０１６）の姿勢の変化を示す姿勢情報を、バス２０１０に対して出力する。
【００３５】
ＧＮＳＳ部２０１７は、ＧＮＳＳ(Global  Navigation  Satellite  System)に対応し、ＧＮＳＳによる衛星からの電波を受信して、受信した電波に含まれる情報に基づき現在位置を示す位置情報を取得する。また、ＧＮＳＳ部２０１７は、位置情報と共に、現在の時刻を示す時間情報を取得することができる。ＧＮＳＳ部２０１７は、取得した位置情報および時間情報を、バス２０１０に対して出力する。
【００３６】
（実施形態に適用可能な情報処理システムにおける処理の概要）
次に、図６を用いて、実施形態に適用可能な情報処理システム１における各情報の流れについて、概略的に説明する。なお、図６において、上述した図１と共通する部分には同一の符号を付して、詳細な説明を省略する。
【００３７】
ここでは、会議室２ａにおいて、電子黒板２２を用いて会議を行う例について説明する。会議の主催者は、会議に参加する参加者を予め把握し、また、会議に用いる資料データを予めサーバ装置１０に登録しておくものとする。また、会議には、主催者以外には、会議室２ａ内で端末装置２０ｂを用いて会議に参加する者（直接参加者と呼ぶ）と、端末装置２０ｃを用いてネットワーク３０を介して会議に参加する者（遠隔参加者と呼ぶ）との２人が参加するものとする。
【００３８】
例えば会議の主催者は、会議で用いる資料のデータを、会議開始前に予めサーバ装置１０に登録し、例えばストレージ１００３に格納しておく。主催者は、サーバ装置１０に格納した資料データを、会議開始前、あるいは、会議中に、サーバ装置１０から取り出して電子黒板２２に転送する（ステップＳ１０）。電子黒板２２は、サーバ装置１０から転送された資料データを例えばストレージ２０２３に保存し、また、当該資料データに応じた画面をタッチパネル２０２７のディスプレイ２０２７ａに表示させることができる。
【００３９】
例えば、電子黒板２２に対する所定の操作に応じて会議が開始され、その旨がサーバ装置１０に通知される。サーバ装置１０は、会議の開始を示す通知を受け取ると、この会議に関する時系列を定義する。例えば、サーバ装置１０は、会議の開始の通知を受け取った時間を基準として時系列を定義し、定義された時系列に従いこの会議の経過時間を管理する。サーバ装置１０は、複数の会議室２ａおよび２ｂからそれぞれ会議の開始の通知を受け取った場合には、それぞれの通知を受信した各時間を基準として、各会議室２ａおよび２ｂにおける各会議について、それぞれ時系列を定義する。すなわち、サーバ装置１０は、会議毎に異なる時系列で経過時間を管理する。
【００４０】
会議が開始されると、会議端末２５は、マイクロホン２５ｂおよびカメラ２５ｃにより、会議の様子の撮影および収音を開始する。会議端末２５は、撮影した映像データと、収音した音声データとをサーバ装置１０に送信する（ステップＳ１１）。また、会議が開始されると、センサＩ／Ｆ２３は、各センサ２４1、２４2、…による検知結果をサーバ装置１０に送信する（ステップＳ１２）。
【００４１】
端末装置２０ｂは、例えば内蔵されるマイクロホンで収音された音声に基づく音声データをサーバ装置１０に送信する（ステップＳ１３）。端末装置２０ｂがカメラを内蔵している場合、端末装置２０ｂは、さらに、カメラで撮影された撮影映像に基づく映像データをサーバ装置１０に送信することができる。
【００４２】
サーバ装置１０は、会議端末２５から送信された音声データおよび映像データと、端末装置２０ｂから送信された音声データとをそれぞれ受信する。サーバ装置１０は、受信した映像データおよび音声データを、端末装置２０ｃに送信する（ステップＳ１４）。それと共に、サーバ装置１０は、受信した音声データおよび映像データを例えばストレージ１００３に、会議の時系列と関連付けて順次に保存する。
【００４３】
図７は、実施形態に適用可能な時系列について概略的に示す図である。サーバ装置１０は、図７（ｄ）に例示されるように、例えば電子黒板２２からの会議の開始通知を受信した時間ｔstを基準として時系列を定義する。また、サーバ装置１０は、図７（ｂ）および図７（ｃ）に例示されるように、会議端末２５から送信された映像データ（映像）および音声データ（音声）に対して、時系列の各時間を関連付ける。この例では、映像データおよび音声データの先頭が時間ｔstに関連付けられている。以降、サーバ装置１０は、映像データおよび音声データを、時系列上の時間の経過に応じて管理する。
【００４４】
ここで、サーバ装置１０は、ステップＳ１４で音声データを端末装置２０ｃに送信するにあたり、受信した各音声データのうち何れの音声データを再生するかを選択する選択情報を端末装置２０ｃに送信する。例えば、サーバ装置１０は、受信した複数の音声データに対して互いに異なるチャネルを割り当てる。ここでは、サーバ装置１０は、会議端末２５から送信された音声データにチャネルｃｈ＃１を、端末装置２０ｂから送信された音声データにチャネルｃｈ＃２を、それぞれ割り当てるものとする。
【００４５】
端末装置２０ｃは、サーバ装置１０から送信された、チャネルｃｈ＃１およびｃｈ＃２のうち何れのチャネルの音声データを再生させるかを選択するための選択情報に基づく選択画面を、ディスプレイ２０１１に表示させる。端末装置２０ｃは、選択画面に応じたユーザ操作に従い、スピーカ２０１４から再生する音声データのチャネルを決定し、決定されたチャネルを示すチャネル選択情報をサーバ装置１０に送信する。サーバ装置１０は、会議端末２５および端末装置２０ｂから受信した各音声データから、端末装置２０ｃから送信されたチャネル選択情報に示されるチャネルの音声データを選択して、端末装置２０ｃに送信する。端末装置２０ｃを使用するユーザ（遠隔参加者）は、複数の音声データから、会議の様子をより聞き取り易い音声データを選択することができる。
【００４６】
なお、サーバ装置１０は、例えば、端末装置２０ｃからの要求に応じて、資料データを端末装置２０ｃに送信することができる。同様に、サーバ装置１０は、端末装置２０ｂからの要求に応じて、資料データを端末装置２０ｂに送信することができる。
【００４７】
端末装置２０ｃは、内蔵または接続されるマイクロホン２０１３で収音された音声に基づく音声データをサーバ装置１０に送信する（ステップＳ１５）。端末装置２０ｃは、さらに、内蔵または接続されるカメラ２０１５で撮影を行っている場合には、撮影された撮影映像に基づく映像データをサーバ装置１０に送信することもできる。
【００４８】
サーバ装置１０は、端末装置２０ｃから送信された音声データを受信して時系列に従った時間情報と関連付けてストレージ１００３に順次に保存すると共に、受信した音声データを会議端末２５に送信する（ステップＳ１６）。会議端末２５は、サーバ装置１０から送信された、端末装置２０ｃによる音声データを受信し、受信した音声データに基づく音声をスピーカ２５ａにより再生する。
【００４９】
電子黒板２２は、ユーザ操作に応じて、タッチパネル２０２７に表示された情報（画面情報）を例えばストレージ２０２３に保存することができる。保存される画面情報は、タッチパネル２０２７のディスプレイ２０２７ａに表示される、描画に応じた描画画像と、資料データによる資料画像とを含む。電子黒板２２は、保存した画面情報を、サーバ装置１０に送信する（ステップＳ１７）。サーバ装置１０は、電子黒板２２から送信された画面情報を受信し、受信した画面情報を、時系列に従った時間情報と関連付けて例えばストレージ１００３に保存する。
【００５０】
なお、電子黒板２２は、ユーザ操作に応じて、ディスプレイ２０２７ａに表示させる資料データや、ディスプレイ２０２７ａに表示させる画面の全体を変更することができる。電子黒板２２は、資料データや画面の変更の履歴を、サーバ装置１０に送信することができる。上述した図７において、図７（ａ）は、資料データが、時系列上の時間ｔ1、ｔ2、ｔ3、ｔ4、ｔ5、…において、それぞれ資料＃１、＃２、＃３、＃４、＃５、…と変更される様子を示している。
【００５１】
電子黒板２２は、例えば、資料＃１が時間ｔ1にてディスプレイ２０２７ａに表示された場合に、資料＃１を示す情報と、時間ｔ1を示す情報とをサーバ装置１０に送信する。サーバ装置１０では、これら資料＃１を示す情報と、時間ｔ1を示す情報とを受信すると、資料＃１を示す情報と、時間ｔ1を示す情報とを関連付けて、例えばストレージ１００３に保存する。
【００５２】
サーバ装置１０は、時系列上の特定の時間を記憶することができる。例えば、端末装置２０ｃは、あるタイミングでなされたマーカ付与のユーザ操作を受け付けると、サーバ装置１０に対して、マーカ付与の操作を受け付けた時間を示す時間情報を含むマーカ付与の要求を送信する（ステップＳ１８）。サーバ装置１０は、この要求に応じて、要求に含まれる時間情報を含むマーカ情報を設定し、設定したマーカ情報を例えばストレージ１００３に保存する。上述した図７（ｄ）において、時間ｔMにマーカ情報に基づくマーカＭが設定された様子が示されている。
【００５３】
サーバ装置１０は、後（例えば図７（ｄ）の時間ｔN）に、端末装置２０ｃから、例えば付与したマーカに基づく再生要求を受け付けると、当該マーカに関連付けられた時間ｔMに対応する位置から、音声データおよび映像データを端末装置２０ｃに送信する（ステップＳ１９）。端末装置２０ｃは、サーバ装置１０から送信された音声データおよび映像データを受信して、再生する。端末装置２０ｃを使用するユーザは、例えば自身がマーキングした時点から音声および映像を視聴することができる。端末装置２０ｂにおいても同様に、マーカ付与の要求をサーバ装置１０に送信し（ステップＳ２０）、マーキングした時点からの音声および映像を視聴することができる。
【００５４】
（実施形態に係る情報処理システムを実現するための機能構成）
次に、実施形態に係る情報処理システム１を実現するための一例の機能構成について説明する。
【００５５】
図８は、図１に示したサーバ装置１０の機能を説明するための一例の機能ブロック図である。図８において、サーバ装置１０は、通信部１００と、ユーザ管理部１０１と、選択部１０２と、記憶部１０３と、１以上のプロジェクト管理部１０４と、制御部１０５とを含む。通信部１００、ユーザ管理部１０１、選択部１０２、記憶部１０３、各プロジェクト管理部１０４および制御部１０５は、ＣＰＵ１０００上で動作するプログラムにより実現される。これに限らず、通信部１００、ユーザ管理部１０１、選択部１０２、記憶部１０３、各プロジェクト管理部１０４および制御部１０５のうち一部または全部を、互いに協働して動作するハードウェア回路により構成してもよい。
【００５６】
サーバ装置１０において、制御部１０５は、サーバ装置１０の全体の動作を制御する。通信部１００は、ネットワーク１２を介した通信を行う。通信部１００は、ブラウザなどを実行する複数の端末装置２０ａ、２０ｂ、２０ｃおよび２０ｄからのアクセスを受け付ける。そして、サーバ装置１０は、複数の端末装置２０ａ、２０ｂ、２０ｃおよび２０ｄのそれぞれに対して、その端末装置２０ａ、２０ｂ、２０ｃおよび２０ｄが要求した情報を提供する。
【００５７】
ユーザ管理部１０１は、サーバ装置１０にアクセス可能なユーザの情報を管理する。表１は、ユーザ管理部１０１がユーザ情報管理に用いるユーザ管理テーブルの例を示す。ユーザ管理テーブルは、例えばストレージ１００３に保存される。
【００５８】
表１において、ユーザ管理テーブルは、「ユーザＩＤ」、「ユーザ名」、「パスワード」、「メールアドレス」、「接続先情報」の各項目を含む１以上のレコードを有する。
【００５９】
【表１】
2018032912.tif 000003
【００６０】
項目「ユーザＩＤ」は、そのレコードが示すユーザを識別するための識別情報であるユーザＩＤが格納される。項目「ユーザ名」は、そのレコードのユーザのユーザ名が格納される。項目「パスワード」は、そのレコードのユーザがサーバ装置１０にアクセスする際の認証に用いるパスワードが格納される。サーバ装置１０は、例えばユーザＩＤとパスワードとの組み合わせを用いてユーザ認証を行う。項目「メールアドレス」は、そのレコードのユーザが持つ電子メールアドレスが格納される。項目「接続先情報」は、そのレコードのユーザが主に用いる端末装置の接続情報（例えばＭＡＣアドレス(Media  Access  Control  address)）が格納される。
【００６１】
サーバ装置１０において、１以上のプロジェクト管理部１０４は、それぞれプロジェクトを管理する。プロジェクトは、複数のユーザを含むグループが形成され、サーバ装置１０は、プロジェクト毎に、グループに含まれるユーザ間のコミュニケーションを実現させる。
【００６２】
なお、上述した会議室２ａ、２ｂ、…で行われる会議は、会議室毎に１のプロジェクトのユーザをメンバとして実行されるものとする。これはこの例に限定されず、１の会議室において複数のプロジェクトのユーザが混在したメンバで会議を実行してもよいし、１のプロジェクトのユーザを複数の会議室における会議に分散してもよい。以下では、１のプロジェクトは、１の会議に対応するものとして説明を行う。
【００６３】
ここで、実施形態において、会議への参加方法として、以下の３種類の参加方法を定義する。
（１）直接参加
（２）遠隔参加
（３）準参加
【００６４】
（１）の直接参加は、例えば会議の主催者と同室におり、主催者と直接的に議論を行うことが可能な参加方法である。図１の例では、直接参加により参加する参加者（直接参加者と呼ぶ）は、会議室２ａ内で端末装置２０ｂを使用するものとする。直接参加者は、会議に、会議の開始から終了までフルタイムで参加する参加形態を取ることを前提とする。
【００６５】
（２）の遠隔参加は、主催者とは異なる場所（部屋）におり、例えばネットワーク３０を介して会議に参加する参加方法である。図１の例では、遠隔参加により参加する参加者（遠隔参加者と呼ぶ）は、ネットワーク３０を介してサーバ装置１０に接続される、端末装置２０ｃおよび２０ｄの何れかを使用するものとする。遠隔参加者は、会議に、会議の開始から終了までフルタイムで参加する参加形態を取ることを前提とするが、これに限らず、会議の開始から終了までの間の一部期間のみ、参加する参加形態であってもよい。
【００６６】
（３）の準参加は、会議の閲覧のみを行い、会議に対して発言などのアクションを起こさないことを前提とする参加方法である。図１の例では、準参加により参加する参加者（準参加者と呼ぶ）は、ネットワーク３０を介してサーバ装置１０に接続される、端末装置２０ｃおよび２０ｄの何れかを使用するものとする。準参加者は、会議に、会議の開始から終了までの間の任意の期間に参加するパート参加の参加形態を取ることを前提とするが、これに限らず、会議にフルタイムで参加する参加形態であってもよい。
【００６７】
説明は図８に戻り、選択部１０２は、プロジェクトを管理するためのプロジェクト管理テーブルを有する。選択部１０２は、ユーザ認証がされた例えば端末装置２０ａからアクセスされた場合、プロジェクト管理テーブルに基づき図９に示すようなプロジェクト選択画面４００を端末装置２０ａに提供して、端末装置２０ａのディプレイ２０１１に表示させる。プロジェクト選択画面４００は、管理している少なくとも１つのプロジェクトの中から１を端末装置２０ａに選択させるための画面である。
【００６８】
表２は、実施形態に適用可能なプロジェクト管理テーブルの例を示す。表２において、プロジェクト管理テーブルは、「プロジェクトＩＤ」、「メンバのユーザＩＤ」、「プロジェクト名」、「定例日時」の各項目を含む１以上のレコードを有する。
【００６９】
【表２】
2018032912.tif 000004
【００７０】
項目「プロジェクトＩＤ」は、プロジェクトの識別情報が格納される。プロジェクトの識別情報は、プロジェクトの新規作成時にサーバ装置１０が一意に生成する。項目「メンバのユーザＩＤ」は、プロジェクトに参加しているユーザのユーザＩＤが列挙される。ユーザＩＤは、表１に示したユーザ管理テーブルにおける項目「ユーザＩＤ」に格納される値が用いられる。項目「プロジェクト名」は、そのレコードのプロジェクトの名前が格納される。項目「プロジェクト名」に格納される値が、プロジェクト選択画面４００に表示される。項目「定例日時」は、そのレコードのプロジェクトにおいて定例的に行われるイベント（会議など）の日時が格納される。
【００７１】
端末装置２０ａは、ユーザ（主催者）により何れかのプロジェクトが選択された場合、選択されたプロジェクトを示す選択情報をサーバ装置１０に送信する。選択部１０２は、端末装置２０ａからの選択情報に応じて、その端末装置２０ａが参加するプロジェクトを選択する。選択部１０２は、端末装置２０ａからの選択情報に応じて選択されたプロジェクトに対応するプロジェクト管理部１０４を呼び出し、そのプロジェクト管理部１０４とその端末装置２０ａとの間の情報のやり取りを可能とする。
【００７２】
それぞれのプロジェクト管理部１０４は、対応するプロジェクトに参加するそれぞれの端末装置２０ａ、２０ｂ、２０ｃおよび２０ｄからアクセスを受け付ける。また、それぞれのプロジェクト管理部１０４は、対応するプロジェクトに関する各種の情報処理を実行する。
【００７３】
記憶部１０３は、それぞれのプロジェクト管理部１０４が管理するデータを、プロジェクト毎に例えばストレージ１００３に記憶させる。
【００７４】
図１０は、実施形態に係るプロジェクト管理部１０４の機能を説明するための一例の機能ブロック図である。プロジェクト管理部１０４は、映像音声処理部１０４０と、会議情報管理部１０４２と、時間取得部１０４３と、画面提供部１０４４と、時間管理部１０４５と、受付部１０４６と、テキスト化部１０４７とを含む。
【００７５】
プロジェクト管理部１０４において、映像音声処理部１０４０は、サーバ装置１０に受信された、当該プロジェクト管理部１０４が管理するプロジェクトに係る映像データおよび音声データに対する処理を行う。例えば映像音声処理部１０４０は、サーバ装置１０における映像データおよび音声データの送受信処理、および、映像データおよび音声データのストレージ１００３などに対する保存処理などを制御する。
【００７６】
図１を参照して音声データの例について説明すると、例えば、映像音声処理部１０４０は、会議端末２５、および、端末装置２０ａ〜２０ｄから送信された音声データをそれぞれ受信し、ストレージ１００３に順次に保存する。また、映像音声処理部１０４０は、受信した各音声データから、例えば端末装置２０ｃおよび２０ｄから送信されたチャネル選択情報に従いそれぞれ選択した音声データを、端末装置２０ｃおよび２０ｄにそれぞれ送信する。
【００７７】
映像データについては、映像音声処理部１０４０は、会議端末２５から送信された映像データを受信し、ストレージ１００３に保存する。また、映像音声処理部１０４０は、受信した映像データを、例えば端末装置２０ｃおよび２０ｄの要求に従い、端末装置２０ｃおよび２０ｄに送信する。
【００７８】
さらに、映像音声処理部１０４０は、例えばストレージ１００３に保存される映像データおよび音声データを、時系列上で指定された位置（時間）から読み出して出力する。例えば、映像音声処理部１０４０は、ストレージ１００３に保存される映像データおよび音声データを、上述したマーカ情報により指定した位置から出力することができる。
【００７９】
会議情報管理部１０４２は、当該プロジェクト管理部１０４に管理されるプロジェクトにおいて行われる会議の情報を管理する。表３は、会議情報管理部１０４２が会議の情報を管理するために用いる会議管理テーブルの例を示す。表３において、会議管理テーブルは、「プロジェクトＩＤ」、「会議ＩＤ」、「会議名」、「参加者」、「場所」、「日時」および「会議端末情報」の各項目を含む１以上のレコードを有する。
【００８０】
【表３】
2018032912.tif 000005
【００８１】
項目「プロジェクトＩＤ」は、その会議が属するプロジェクトの識別情報が格納される。項目「プロジェクトＩＤ」に格納される値は、表２のプロジェクト管理テーブルにおける項目「プロジェクトＩＤ」の値が用いられる。項目「会議ＩＤ」は、その会議を識別する識別情報が格納される。会議の識別情報は、会議の新規作成時にサーバ装置１０が一意に生成する。項目「会議名」は、その会議に設定された名前が格納される。項目「参加者」は、その会議に参加する参加者のユーザＩＤが格納される。ユーザＩＤは、表１に示したユーザ管理テーブルにおける項目「ユーザＩＤ」に格納される値が用いられる。また、ユーザＩＤは、項目「プロジェクトＩＤ」の値で識別されるプロジェクトに参加しているユーザのユーザＩＤから選択される。項目「場所」は、会議が行われる場所（部屋）を示す情報が格納される。項目「日時」は、会議が行われる日付および時間が格納される。項目「会議端末情報」は、その会議で用いられる会議端末２５を識別する識別情報が格納される。
【００８２】
また、会議情報管理部１０４２は、会議ＩＤ毎に、会議で用いる資料データを管理する。さらに、会議情報管理部１０４２は、電子黒板２２に描画された描画画像の管理も行う。会議情報管理部１０４２は、例えば電子黒板２２に表示される資料データにオーバーラップして描画がなされた場合、描画画像と当該資料データとを関連付けて管理する。また、会議情報管理部１０４２は、例えば端末装置２０ａに対して、後述する会議管理画面を提供する。
【００８３】
時間取得部１０４３は、現在の日時および時刻を示す時間情報を取得する。
【００８４】
画面提供部１０４４は、各端末装置２０ａ、２０ｂ、２０ｃおよび２０ｄの画面を提供する。例えば、画面提供部１０４４は、画面を表示させるための表示制御情報を、例えばＨＴＭＬに従い記述されたＷｅｂページとして所定のＵＲＬ(Uniform  Resource  Locator)に示される場所に保存する。各端末装置２０ａ、２０ｂ、２０ｃおよび２０ｄは、自身に搭載されるブラウザにより当該ＵＲＬにアクセスすることで、画面提供部１０４４により提供される画面を表示することができる。なお、ＨＴＭＬには、Ｗｅｂページにアクセスした機器の種類（デスクトップ型コンピュータ、タブレット型コンピュータ、スマートフォン、など）を判別するための仕組みを有し、アクセスした機器の種類に応じた画面を提供することが可能である。
【００８５】
画面提供部１０４４による各端末装置２０ａ、２０ｂ、２０ｃおよび２０ｄへの画面の提供は、Ｗｅｂページを用いる方法に限定されない。例えば、各端末装置２０ａ、２０ｂ、２０ｃおよび２０ｄに、この情報処理システム１に専用のアプリケーションプログラムを搭載させ、画面提供部１０４４は、各端末装置２０ａ、２０ｂ、２０ｃおよび２０ｄに対して、この専用のアプリケーションプログラムによる画面表示を制御するための所定の表示制御情報を送信するようにしてもよい。
【００８６】
時間管理部１０４５は、当該プロジェクト管理部１０４に管理されるプロジェクトにおいて行われる会議における時系列を管理する。例えば、時間管理部１０４５は、時間取得部１０４３から取得した時間を、会議が開始された時間を基準とする時系列上の時間、すなわち、会議開始時からの経過時間として管理する。また、時間管理部１０４５は、当該会議において各端末装置２０ａ〜２０ｄにおいて設定されサーバ装置１０に送信された各マーカ情報と、時系列上の時間（経過時間）とを関連付けて管理する。
【００８７】
さらに、時間管理部１０４５は、電子黒板２２および各端末装置２０ａ〜２０ｄから送信された、電子黒板２２および各端末装置２０ａ〜２０ｄにおける各アクション（電子黒板２２上での資料データの表示、各端末装置２０ａ〜２０ｄからの反応、など）を示す情報を時系列上で蓄積的に記憶し、アクションのログを記録する。ログは、会議の識別情報（会議ＩＤ）と関連付けて例えばストレージ１００３に保存される。
【００８８】
受付部１０４６は、各端末装置２０ａ、２０ｂ、２０ｃおよび２０ｄから送信されたマーカ付与の要求や、センサＩ／Ｆ２３から送信された検知結果などを受け付ける。テキスト化部１０４７は、映像音声処理部１０４０において取得された音声データを、既存の技術を用いて解析してテキスト化する。これに限らず、テキスト化部１０４７は、例えばネットワーク３０を介して接続可能な外部のサービスを利用して、音声データのテキスト化を行ってもよい。
【００８９】
サーバ装置１０における各機能を実現するための情報処理プログラムは、インストール可能な形式または実行可能な形式のファイルでＣＤ(Compact  Disk)、フレキシブルディスク（ＦＤ）、ＤＶＤ(Digital  Versatile  Disk)などのコンピュータで読み取り可能な記録媒体に記録して提供される。これに限らず、当該情報処理プログラムを、インターネットなどのネットワークに接続されたコンピュータ上に格納し、当該ネットワークを介してダウンロードさせることにより提供してもよい。また、当該情報処理プログラムをインターネットなどのネットワークを経由して提供または配布するように構成してもよい。
【００９０】
当該情報処理プログラムは、上述した各部（映像音声処理部１０４０、会議情報管理部１０４２、時間取得部１０４３、画面提供部１０４４、時間管理部１０４５、受付部１０４６およびテキスト化部１０４７）を含むモジュール構成となっている。実際のハードウェアとしては、ＣＰＵ１０００がストレージ１００３などの記憶媒体から当該情報処理プログラムを読み出して実行することにより、上述した各部がＲＡＭ１００２などの主記憶装置上にロードされ、映像音声処理部１０４０、会議情報管理部１０４２、時間取得部１０４３、画面提供部１０４４、時間管理部１０４５、受付部１０４６およびテキスト化部１０４７が主記憶装置上に生成されるようになっている。
【００９１】
図１１は、実施形態に適用可能な端末装置２０ｄの機能を説明するための一例の機能ブロック図を示す。端末装置２０ｄは、通信部２００と、制御部２０１と、入力受付部２０２と、表示制御部２０３と、音声処理部２０４と、映像処理部２０５と、運動検知部２０６と、マーカ処理部２０７とを含む。なお、端末装置２０ａ、２０ｂおよび２０ｃは、図１１に示す構成から運動検知部２０６を省いた構成となる。ここでは、端末装置２０ａ、２０ｂ、２０ｃおよび２０ｄを、端末装置２０ｄで代表させて説明を行う。
【００９２】
これら通信部２００、制御部２０１、入力受付部２０２、表示制御部２０３、音声処理部２０４、映像処理部２０５、運動検知部２０６およびマーカ処理部２０７は、ＣＰＵ２０００上で動作するプログラムにより実現される。これに限らず、通信部２００、制御部２０１、入力受付部２０２、表示制御部２０３、音声処理部２０４、映像処理部２０５、運動検知部２０６およびマーカ処理部２０７の一部または全部を、互いに協働して動作するハードウェア回路により構成してもよい。
【００９３】
通信部２００は、通信Ｉ／Ｆ２００７を制御して、ネットワーク１２やネットワーク３０を介した通信を行う。制御部２０１は、端末装置２０ｄの全体の動作を制御する。入力受付部２０２は、入力Ｉ／Ｆ２００５を制御して、入力デバイス２０１２に対してなされたユーザ操作による入力を受け付ける。表示制御部２０３は、表示制御情報に基づき表示制御信号を生成し、表示制御信号に従いグラフィクスＩ／Ｆ２００３を制御してディスプレイ２０１１に所定の画面を表示させる。
【００９４】
音声処理部２０４は、音声データに対して所定の処理を施す。例えば、音声処理部２０４は、マイクロホン２０１３で収音されたアナログ方式の音声信号が音声Ｉ／Ｆ２００６で変換されたディジタル方式の音声データに対して所定の処理を施して通信部２００に渡す。通信部２００は、音声処理部２０４から渡された音声データをサーバ装置１０に送信する。また例えば、音声処理部２０４は、マイクロホン２０１３で収音された、例えばユーザの音声による音声信号に基づく音声データを既存の音声認識技術を用いて解析し、音声に含まれる特定ワードを抽出することができる。
【００９５】
映像処理部２０５は、映像データに対して所定の処理を施す。例えば、映像処理部２０５は、カメラ２０１５で撮影され映像Ｉ／Ｆ２００８から出力された映像データに対して所定の処理を施して通信部２００に渡す。通信部２００は、映像処理部２０５から渡された映像データをサーバ装置１０に送信する。また例えば、映像処理部２０５は、カメラ２０１５での撮影により得た、例えばユーザの映像を含む映像データを既存の映像解析技術を用いて解析し、映像に含まれるユーザの特定のポーズを抽出することができる。
【００９６】
運動検知部２０６は、９軸センサ２０１６の出力を解析して、端末装置２０ｄの姿勢および姿勢の変化を検出する。マーカ処理部２０７は、入力受付部２０２に受け付けられた入力に応じてマーカ情報を作成する。
【００９７】
端末装置２０ｄに含まれる各機能部のうち、制御部２０１を除く各部（通信部２００、入力受付部２０２、表示制御部２０３、音声処理部２０４、映像処理部２０５、運動検知部２０６およびマーカ処理部２０７）は、例えばＷｅｂアプリケーションプログラムであって、端末装置２０ｄがブラウザによりネットワーク３０（端末装置２０ｂの場合はネットワーク１２）を介してサーバ装置１０から取得したプログラムがＣＰＵ２０００上で実行されることで構成される。
【００９８】
（実施形態に適用可能な処理の具体例）
次に、実施形態に適用可能な処理について、より具体的に説明する。以下では、図１を参照し、会議室２ａにおいて電子黒板２２を用いて会議を行うものとして説明を行う。会議の主催者は、端末装置２０ａを、直接参加者は、端末装置２０ｂを、それぞれ用いるものとする。また、遠隔参加者および準参加者は、それぞれ端末装置２０ｃおよび端末装置２０ｄのうち何れを用いてもよいが、ここでは、遠隔参加者が端末装置２０ｃを用い、準参加者が端末装置２０ｄを用いるものとする。
【００９９】
図１２は、実施形態に適用可能な、会議の準備段階におけるサーバ装置１０の処理を示す一例のフローチャートである。例えば、会議の主催者は、端末装置２０ａを用いてサーバ装置１０にアクセスする。ステップＳ１００で、サーバ装置１０は、端末装置２０ａからのアクセスを受け付ける。例えば、サーバ装置１０は、ユーザ管理部１０１により、端末装置２０ａからのアクセスに応じて、端末装置２０ａに対して、ユーザＩＤおよびパスワードの入力領域を備えるログイン画面を提示する。サーバ装置１０において、ユーザ管理部１０１は、端末装置２０ａから、このログイン画面に対して入力されたユーザＩＤおよびパスワードを受信すると、例えばユーザ管理テーブルを参照して認証処理を行い、認証が成功した場合に、端末装置２０ａからのアクセスを許可する。
【０１００】
ステップＳ１００で端末装置２０ａのアクセスを許可すると、次のステップＳ１０１で、サーバ装置１０は、プロジェクト管理テーブルに基づき図９に示したプロジェクト選択画面４００を端末装置２０ａに提示する。例えば会議の主催者は、端末装置２０ａを操作して、プロジェクト選択画面４００に対してプロジェクト選択入力を行い、会議を行うプロジェクトを指定する。端末装置２０ａは、プロジェクト選択入力の結果をサーバ装置１０に送信する。
【０１０１】
会議の主催者は、会議を行うためのプロジェクトを新規に作成してもよい。この場合、例えば、サーバ装置１０において、選択部１０２は、端末装置２０ａからのプロジェクト新規作成要求に応じて、表２で示したプロジェクト管理テーブルにおける入力すべき各項目の入力領域を含むプロジェクト作成画面を端末装置２０ａに提示する。選択部１０２は、端末装置２０ａから、このプロジェクト作成画面に従い入力された各項目の情報に基づきプロジェクト管理テーブルにレコードを追加して、新規のプロジェクトを作成する。
【０１０２】
次のステップＳ１０２で、サーバ装置１０は、端末装置２０ａによりプロジェクト選択画面４００に対してなされたプロジェクト選択入力を受け付け、入力結果を取得する。サーバ装置１０は、取得したプロジェクト選択入力の結果に基づき、端末装置２０ａにより指定されたプロジェクトのプロジェクトＩＤを取得する。サーバ装置１０は、ステップＳ１０２で取得されたプロジェクトＩＤに対応するプロジェクト管理部１０４を、複数のプロジェクト管理部１０４から特定する。
【０１０３】
次のステップＳ１０３で、サーバ装置１０は、ステップＳ１０２で特定されたプロジェクト管理部１０４の画面提供部１０４４により、端末装置２０ａに対して会議管理画面を提示する。
【０１０４】
次のステップＳ１０４で、サーバ装置１０において会議情報管理部１０４２は、会議管理画面に対する会議の書誌情報などの入力を受け付ける。ステップＳ１０４では、（ａ）会議に参加するメンバ（参加者）に関する情報の登録と、（ｂ）会議の書誌情報の設定と、（ｃ）会議に用いる資料データの登録とが行われる。会議の書誌情報は、例えば会議名、議題、会議の日時および場所などを含む。
【０１０５】
図１３は、実施形態に適用可能な、画面提供部１０４４が端末装置２０ａに対して提示する会議管理画面の例を示す。図１３において、会議管理画面５００は、プロジェクトに参加しているメンバの情報が表示されるメンバ表示領域５０１と、議題を設定するための議題設定領域５０２とを含む。
【０１０６】
メンバ表示領域５０１は、プロジェクトに参加している各メンバのメンバ情報５０１０1、５０１０2、５０１０3、…が一覧で表示される。メンバ表示領域５０１にプロジェクトに参加している全メンバの情報が表示しきれない場合は、例えば端末装置２０ａに対する所定の操作によりメンバ表示領域５０１をスクロール（この例では横方向にスクロール）させることで、表示されていないメンバの情報がメンバ表示領域５０１内に出現する。
【０１０７】
例えばメンバ情報５０１０1は、このメンバ情報５０１０1に表示されるメンバを示すアイコン画像５０１１が表示されると共に、当該メンバの各属性情報が表示される表示領域５０１２〜５０１５を含む。表示領域５０１２は、当該メンバの名前が表示される。画面提供部１０４４は、例えばユーザ管理テーブルとプロジェクト管理テーブルとに基づき、プロジェクトに参加しているメンバの名前を取得する。
【０１０８】
表示領域５０１３は、当該メンバの参加方法が表示される。参加種類は、例えば上述した参加者の種類のうち（１）〜（３）の直接参加、遠隔参加および準参加と、会議に参加しないことを示す不参加とを含む。図１３の例では、メンバ情報５０１０1および５０１０4のメンバが直接参加（Ｐａｒｔｉｃｉｐａｔｉｏｎ）、メンバ情報５０１０2のメンバが遠隔参加（Ｒｅｍｏｔｅ）、メンバ情報５０１０3のメンバが準参加（Ｓｅｍｉ−Ｐａｒｔｉｃｉｐａｔｉｏｎ）、メンバ情報５０１０5のメンバが不参加（Ａｂｓｅｎｔ）となっている。
【０１０９】
表示領域５０１４は、当該メンバの参加形態が表示される。図１３の例では、メンバ情報５０１０1、５０１０2および５０１０4のメンバがフルタイムの参加形態、メンバ情報５０１０3のメンバが議題２および３のみ参加のパート参加形態となっている。
【０１１０】
会議情報管理部１０４２は、各メンバの参加種類および参加形態を、例えば表４に示す参加方法テーブルを用いて管理する。表４において、参加方法テーブルは、それぞれユーザＩＤ、参加方法、参加形態に対応する「ユーザＩＤ」、「参加方法」、「参加形態」の各項目を含むレコードを、例えば会議の参加メンバ分、有する。参加方法テーブルは、例えば会議ＩＤに関連付けられて、ストレージ１００３に保存される。参加方法テーブルに格納される各情報は、例えば会議の主催者により予め登録される。
【０１１１】
【表４】
2018032912.tif 000006
【０１１２】
表示領域５０１５は、当該メンバが会議のためにサーバ装置１０に登録した資料データの一覧が表示される。図１３の例では、各メンバ情報５０１０1〜５０１０5において表示領域５０１５の表示が「Ｎｏ  Ｆｉｌｅ」とされ、資料データが登録されていないことが示されている。
【０１１３】
なお、例えば会議の主催者は、端末装置２０ａに表示された会議管理画面５００における表示領域５０１２〜５０１５に表示される情報を、端末装置２０ａから編集することができる。また、プロジェクトの各メンバは、各自の端末装置２０ｂ、２０ｃおよび２０ｄから会議管理画面５００にアクセスして、自身の属性情報を編集することができる。表示領域５０１２〜５０１５に表示される情報は、例えば編集に応じてサーバ装置１０に送信され、会議情報管理部１０４２により会議管理テーブルおよび参加方法テーブルの対応する項目に反映され、登録される。
【０１１４】
図１３において、議題設定領域５０２は、過去の会議における決定事項などを確認するための議題領域５０２０ａと、会議に議題を追加するための議題領域５０２０ｂとを含む。図１４は、議題領域５０２０ｂに対する操作に応じて端末装置２０ａに表示される、実施形態に適用可能な議題設定画面の例を示す。なお、ここでは、図１４に示される議題設定画面５１０は、所定の権限（例えば会議の主催者）を持つユーザのユーザＩＤに応じて表示されるものとする。
【０１１５】
図１４において、議題設定画面５１０は、入力領域５１０１〜５１０４と、ボタン５１０５ａおよび５１０５ｂとを含む。入力領域５１０１は、会議のタイトル（会議名）を入力するための領域である。入力領域５１０２は、会議の議題を入力するための領域である。
【０１１６】
入力領域５１０３は、会議で用いる資料データをアップロードするための領域である。例えば、端末装置２０ａは、入力領域５１０３に設けられるボタン５１０３ａに対する操作に応じて、端末装置２０ａ内のファイルを選択するファイル選択画面を表示させる。端末装置２０ａは、ファイル選択画面に対するファイルの選択操作に応じて、入力領域５１０３に、アップロードを行うファイルの一覧を表示させる。
【０１１７】
入力領域５１０４は、入力領域５１０４ａ、５１０４ｂおよび５１０４ｃを含む。入力領域５１０４ａは、会議の日付を入力するための領域である。入力領域５１０４ｂは、会議の開始時間および終了時間を入力するための領域である。また、入力領域５１０４ｃは、会議の場所を入力するための領域である。これら入力領域５１０４ａ、５１０４ｂおよび５１０４ｃは、例えば別途に提供されるスケジューラのアプリケーションプログラムを参照して値を入力することが可能である。
【０１１８】
ボタン５１０５ａは、入力領域５１０１〜５１０４に入力された各情報を破棄するためのボタンである。ボタン５１０５ｂは、入力領域５１０１〜５１０４に入力された各情報を確定し、各情報をサーバ装置１０に登録するためのボタンである。端末装置２０ａは、ボタン５１０５ｂが操作されると、入力領域５１０１〜５１０４に入力された各情報をサーバ装置１０に送信する。また、端末装置２０ａは、入力領域５１０３に表示される各ファイルをサーバ装置１０に送信する。
【０１１９】
サーバ装置１０において、会議情報管理部１０４２は、端末装置２０ａから受信した各情報のうち、入力領域５１０１に入力された会議のタイトルを、会議管理テーブルの項目「会議名」に、入力領域５１０４に入力された各情報を、会議管理テーブルの項目「日時」および「場所」に、それぞれ反映させて、書誌情報の登録を行う。また、会議情報管理部１０４２は、端末装置２０ａからアップロードされた各ファイルを、会議ＩＤおよびユーザＩＤと関連付けて例えばストレージ１００３に保存する。さらに、会議情報管理部１０４２は、端末装置２０ａから受信した、入力領域５１０２に入力された会議の議題を、会議ＩＤと関連付けてストレージ１００３などに所定に保存し、書誌情報に追加する。
【０１２０】
なお、会議に参加する各メンバは、各自の端末装置２０ｂ、２０ｃおよび２０ｄから会議管理画面５００にアクセスして、例えば入力領域５０１３および５０１４に表示される、自身の会議への参加方法および参加形態を編集することができる。また、各メンバは、各自の端末装置２０ｂ、２０ｃおよび２０ｄから会議管理画面５００にアクセスして、入力領域５１０３に対して資料データのファイルをアップロードすることができる。アップロードされたファイルは、会議情報管理部１０４２により、会議ＩＤおよびユーザＩＤと関連付けられて、ストレージ１００３に保存される。
【０１２１】
図１５は、実施形態に適用可能な、上述のようにして各情報の入力やファイルのアップロードが完了した場合の会議管理画面５００の例を示す。図１５の例では、メンバ情報５０１０2、５０１０3および５０１０4に、アップロードしたファイルの情報が表示されている。また、議題設定領域５０２において、新たに設定された議題の情報を含む議題領域５０２０ｃが追加されている。
【０１２２】
説明は図１２に戻り、会議情報管理部１０４２は、ステップＳ１０５で、会議管理画面５００に従った各情報の登録が完了したか否かを判定する。完了していないと判定した場合（ステップＳ１０５、「Ｎｏ」）、処理がステップＳ１０４に戻される。一方、会議情報管理部１０４２は、情報の登録が完了したと判定した場合（ステップＳ１０５、「Ｙｅｓ」）、処理をステップＳ１０６に移行させる。会議情報管理部１０４２は、例えば、会議管理画面５００に対する所定の操作に応じて、情報の登録が完了したと判定することが考えられる。
【０１２３】
ステップＳ１０６で、サーバ装置１０は、会議情報管理部１０４２により、会議管理画面５００のメンバ表示領域５０１により登録された、会議に参加する各参加者に対して、会議の開催が通知される。各参加者に対する会議開催通知は、例えば、会議管理テーブルおよびユーザ管理テーブルに基づき、各参加者に対する電子メールの送信により行う。ここで、会議情報管理部１０４２は、各参加者に送信する会議開催通知メールに、画面提供部１０４４が各端末装置２０ｂ、２０ｃおよび２０ｄに対して会議画面を表示させるためのＵＲＬを付加して、当該通知メールを送信する。
【０１２４】
次のステップＳ１０７で、会議情報管理部１０４２は、現在が、議題設定画面５１０において入力領域５１０４ａおよび５１０４ｂに設定された会議開催日時であるか否かを判定する。現在が会議開催日時ではないと判定した場合（ステップＳ１０７、「Ｎｏ」）、会議情報管理部１０４２は、処理をステップＳ１０７に戻し、会議開催日時を待機する。
【０１２５】
一方、会議情報管理部１０４２は、現在が会議開催日時であると判定した場合（ステップＳ１０７、「Ｙｅｓ」）、処理をステップＳ１０８に移行させる。ステップＳ１０８で、会議情報管理部１０４２は、電子黒板２２に対して、会議開始画面を表示させるよう指示する。図１６は、実施形態に適用可能な、電子黒板２２に表示される会議開始画面の例を示す。図１６において、会議開始画面５２０は、表示領域５２１および５２２と、ボタン５２３ａおよび５２３ｂとを含む。
【０１２６】
表示領域５２１は、開始される会議名５２１０と、会議の主催者を示す情報５２１１とを含む。この例では、情報５２１１は、会議の主催者のアイコン画像と、名前とを含んでいる。表示領域５２２は、会議の書誌情報が表示される。この例では、表示される書誌情報は、会議が開催される日時を示す情報と、会議の開催場所を示す情報とを含んでいる。
【０１２７】
ボタン５２３ａは、この会議の開始をキャンセルするためのボタンである。また、ボタン５２３ｂは、この会議の開始を指示するためのスタートボタンである。
【０１２８】
図１７は、実施形態に適用可能な、電子黒板２２における処理を概略的に示す一例のフローチャートである。ステップＳ１２０で、電子黒板２２において会議開始画面５２０のボタン５２３ｂが操作され、会議の開始が指示される。電子黒板２２は、会議の開始指示をサーバ装置１０に通知する。
【０１２９】
サーバ装置１０は、会議の開始時の通知に応じて、会議が開催される会議室２ａと遠隔の場所にある、端末装置２０ｃおよび２０ｄに対して会議の開始を通知する。
【０１３０】
図１８は、実施形態に適用可能な、会議の開始を通知するための会議開始通知画面の例を示す。なお、以下では、端末装置２０ｄがスマートフォンであって、画面を縦長の方向に保持して画面表示させているものとして説明する。勿論、画面を横長の方向に保持した場合や、端末装置２０ｄがタブレット型コンピュータ、デスクトップ型コンピュータ、ノート型コンピュータであっても、同様の構成要素を用いて画面表示を行うことができる。
【０１３１】
図１８において、会議開始通知画面５３０は、表示領域５３１および５３２と、ボタン５３３ａおよび５３３ｂとを含む。図１８の例では、表示領域５３１は、会議の議題が表示され、表示領域５３２は、会議の書誌情報として、会議が開催される日時および場所を示す情報が表示されている。また、図１８の例では、会議開始通知画面５３０は、会議の開始を通知するための表示５３１０および５３１１を含む。ボタン５３３ａは、会議開始通知画面５３０を閉じるためのボタンであり、ボタン５３３ｂは、次の画面に遷移させるためのボタンである。
【０１３２】
次のステップＳ１２１で、サーバ装置１０は、電子黒板２２から会議の開始指示が通知されると、音声および映像の記録、ならびに、ログの取得を開始する。
【０１３３】
より具体的には、サーバ装置１０は、例えば、会議開始指示の通知を受け付けた時間を会議開始時間とし、会議開始時間を基準とした時系列を、当該会議の会議ＩＤに関連付けられる時系列として定義する。サーバ装置１０は、会議端末２５から受信した音声データおよび映像データを、会議ＩＤおよび時系列上の時間と関連付けて、例えばストレージ１００３に保存する。サーバ装置１０は、同様に、各端末装置２０ｂ、２０ｃおよび２０ｄから音声データや映像データを受信している場合には、それらの音声データおよび映像データを、会議ＩＤおよび時系列上の時間と関連付けて、ストレージ１００３に保存する。
【０１３４】
また、サーバ装置１０は、音声データおよび映像データの、会議端末２５や各端末装置２０ｂ、２０ｃおよび２０ｄへの送信も制御する。
【０１３５】
さらに、サーバ装置１０は、電子黒板２２および各端末装置２０ａ〜２０ｄにおけるアクションを、電子黒板２２および各端末装置２０ａ〜２０ｄから受信することができる。サーバ装置１０は、電子黒板２２および各端末装置２０ａ〜２０ｄからアクションを受信した場合に、受信したアクションを、会議ＩＤおよび時系列上の時間と関連付けて、ストレージ１００３に蓄積に保存して、アクションのログを記録する。
【０１３６】
次のステップＳ１２２で、電子黒板２２は、ディスプレイ２０２７ａに描画画面を表示させ、タッチパネル２０２７に対する描画の受け付けを開始する。これにより、ユーザは、タッチパネル２０２７に対して自在に描画を行い、描画した画像をタッチパネル２０２７のディスプレイ２０２７ａに表示させることが可能となる。
【０１３７】
図１９は、実施形態に適用可能な描画画面の例を示す。図１９において、描画画面５４０は、表示領域５４００と、メニュー領域５４０１と、描画領域５４０２とを含む。表示領域５４００は、議題を切り替えるためのボタン５４００ａと、サーバ装置１０にログインしているユーザを示すアイコン画像５４００ｂとを含む。
【０１３８】
メニュー領域５４０１は、ボタン５４０１ａ、５４０１ｂおよび５４０１ｃを含む。ボタン５４０１ａは、サーバ装置１０に予め登録される資料データファイルを指定するためのファイルリストを表示させるためのボタンである。ボタン５４０１ｂおよび５４０１ｃは、それぞれ、後述する留意事項マークおよび決定事項マークを設定するためのボタンである。
【０１３９】
描画領域５４０２は、接触などによる描画が可能な領域である。描画領域５４０２は、ツールアイコン部５４１０と、画面切替部５４１１とを含む。ツールアイコン部５４１０は、電子黒板２２の各機能を指定するための各アイコン画像が含まれる。例えば、ツールアイコン部５４１０は、描画に用いる各描画ツールを示すアイコン画像が含まれる。所望の描画ツールのアイコン画像をタッチした後に描画領域５４０２をタッチすることで、当該描画ツールによる効果を描画領域５４０２に反映させることができる。
【０１４０】
また、ツールアイコン部５４１０は、描画領域５４０２内に表示される画像の拡大縮小、複製、貼り付け、保存、消去などを実行するための各機能ボタンが含まれる。拡大縮小の機能ボタンを指定すると、描画領域５４０２内の画像が拡大または縮小されて表示される。複製の機能ボタンを指定すると、描画領域５４０２内の画像が例えばＲＡＭ２０２２に一時的に記憶される。貼り付けの機能ボタンを指定すると、複製の機能ボタンの指定により記憶された画像が、描画領域５４０２に貼り付けられる。保存の機能ボタンを指定すると、描画領域５４０２内の画像が例えばストレージ２０２３に保存される。消去の機能ボタンを指定すると、描画領域５４０２内の画像が消去される。
【０１４１】
画面切替部５４１１は、例えばツールアイコン部５４１０における保存の機能ボタンを指定して保存された画像のサムネイル画像が一覧表示される。電子黒板２２は、画面切替部５４１１に表示されるサムネイル画像が指定されると、指定されたサムネイル画像に対応する画像をストレージ２０２３から読み出して、描画領域５４０２内に表示させることができる。
【０１４２】
次のステップＳ１２３で、電子黒板２２は、ステップＳ１２０で開始された会議が終了したか否かを判定する。電子黒板２２は、例えば、タッチパネル２０２７に対する、予め定められた会議終了を指示する操作の有無に基づき、会議が終了したか否かを判定する。電子黒板２２は、タッチパネル２０２７に対して会議終了を指示する操作があった場合、会議が終了したと判定し（ステップＳ１２３、「Ｙｅｓ」）、会議の終了をサーバ装置１０に通知し、図１７のフローチャートにおける一連の処理を終了させる。
【０１４３】
サーバ装置１０は、電子黒板２２による会議終了の通知に応じて、例えば音声データおよび映像データの記録と、ログの記録とを終了させる。
【０１４４】
電子黒板２２は、会議が終了していないと判定した場合（ステップＳ１２３、「Ｎｏ」）、処理をステップＳ１２４に移行させる。ステップＳ１２４で、電子黒板２２は、予め登録された資料データに対する操作の有無を判定する。電子黒板２２は、資料データに対する操作があったと判定した場合（ステップＳ１２４、「有り」）、処理をステップＳ１２５に移行させる。電子黒板２２は、ステップＳ１２５で、操作に応じた処理を実行し、処理をステップＳ１２３に戻す。
【０１４５】
資料データに対する処理の１つとして、サーバ装置１０に予め登録された資料データによる画像を、電子黒板２２のディスプレイ２０２７ａに表示させる処理がある。電子黒板２２は、図１９に示した描画画面５４０において、ボタン５４０１ａに対する操作に応じて、サーバ装置１０に予め登録される資料データファイルを指定するためのファイルリストを表示させる。
【０１４６】
図２０−１は、実施形態に適用可能な、ボタン５４０１ａの操作に応じてファイルリスト５４２０が表示された例を示す。例えば、電子黒板２２は、ボタン５４０１ａが操作されると、サーバ装置１０に対して、当該会議の会議ＩＤに関連付けられて保存される資料データのファイルを要求する。サーバ装置１０は、この要求に応じて、要求された各ファイルを、当該ファイルに関連付けられたユーザＩＤと共にストレージ１００３から読み出して電子黒板２２に送信する。
【０１４７】
電子黒板２２は、サーバ装置１０から送信された各ファイルを受信すると、受信した各ファイルを、例えばストレージ２０２３に記憶し、各ファイルのファイル名を示す情報に基づきファイルリスト５４２０を表示させる。電子黒板２２は、ファイルリスト５４２０に対する操作に応じて選択されたファイルをストレージ２０２３から読み出して、読み出したファイルに基づく画像を描画領域５４０２に表示させる。図２０−２は描画領域５４０２にファイルに基づく画像６００が表示された例を示す。
【０１４８】
また、電子黒板２２は、選択されたファイルに関連付けられたユーザＩＤに基づき、サーバ装置１０に対して例えば当該ユーザＩＤに関連付けられたメールアドレスにより、当該ユーザＩＤに対応するユーザに対して、ファイルが選択され表示された旨を通知する。さらに、電子黒板２２は、選択されたファイルを示す情報と、当該ファイルに関連付けられたユーザＩＤと、ファイルが選択された時系列上の時間とをサーバ装置１０に送信する。サーバ装置１０は、電子黒板２２から受信したファイル情報、ユーザＩＤおよび時間とを関連付けて、ログとして記録する。
【０１４９】
なお、電子黒板２２は、ファイルに基づく画像６００が表示されている場合であっても、ユーザ操作に応じた描画を受け付けることができる。図２１は、実施形態に適用可能な、資料データによる画像６００が表示されている描画領域５４０２に対して描画を行い、描画による画像６０１が資料データによる画像６００に重畳して表示された例を示す。
【０１５０】
説明は図１７のフローチャートに戻り、上述したステップＳ１２４で、電子黒板２２は、資料データに対する操作が無いと判定した場合（ステップＳ１２４、「無し」）、処理をステップＳ１２６に移行させる。ステップＳ１２６で、電子黒板２２は、描画領域５４０２内の画像を保存するか否かを判定する。例えば、電子黒板２２は、ツールアイコン部５４１０における保存の機能ボタンに対する操作の有無に応じて、描画領域５４０２内の画像を保存するか否かを判定することができる。これに限らず、電子黒板２２は、例えば所定の時間間隔で描画領域５４０２内の画像を自動的に保存するようにしてもよい。
【０１５１】
電子黒板２２は、描画領域５４０２内の画像を保存すると判定した場合（ステップＳ１２６、「Ｙｅｓ」）、処理をステップＳ１２７に移行させる。ステップＳ１２７で、電子黒板２２は、描画領域５４０２内の画像の保存処理を実行する。例えば、電子黒板２２は、図２２に例示されるように、描画領域５４０２内に予め定められた領域５４２０内に表示される画像を保存する。このとき、電子黒板２２は、領域５４２０内に、資料データによる画像６００が含まれる場合、当該画像６００を表示させる資料データのファイルを示す情報を、保存対象の画像に関連付けることができる。
【０１５２】
また、電子黒板２２は、画像が保存されると、保存された画像を示す情報（例えばファイル情報）と、画像が保存された時系列上の時間と、画像の保存を示す情報とをサーバ装置１０に送信する。サーバ装置１０は、電子黒板２２から受信したファイル情報と時間と画像の保存を示す情報とを関連付けて、ログとして記録する。
【０１５３】
電子黒板２２は、上述したステップＳ１２６で、描画領域５４０２内の画像を保存しないと判定した場合（ステップＳ１２６、「Ｎｏ」）、処理をステップＳ１２８に移行させる。ステップＳ１２８で、電子黒板２２は、描画領域５４０２内の画像を消去するか否かを判定する。例えば、電子黒板２２は、ツールアイコン部５４１０における消去の機能ボタンに対する操作の有無に応じて、描画領域５４０２内の画像を消去するか否かを判定することができる。電子黒板２２は、描画領域５４０２内の画像を消去しないと判定した場合（ステップＳ１２８、「Ｎｏ」）、処理をステップＳ１２３に戻す。
【０１５４】
一方、電子黒板２２は、描画領域５４０２内の画像を消去すると判定した場合（ステップＳ１２８、「Ｙｅｓ」）、処理をステップＳ１２９に移行させる。ステップＳ１２９で、電子黒板２２は、描画領域５４０２内の画像を全て消去し、処理をステップＳ１２３に戻す。このとき、電子黒板２２は、画像を消去した時系列上の時間と、画像の消去を示す情報とをサーバ装置１０に送信する。サーバ装置１０は、電子黒板２２から受信した時間と画像の消去を示す情報とを関連付けて、ログとして記録する。
【０１５５】
上述したステップＳ１２３〜ステップＳ１２９の処理が、ステップＳ１２３で会議が終了したと判定されるまで繰り返し実行される。
【０１５６】
（実施形態に適用可能な留意事項マークおよび決定事項マーク）
次に、上述した、メニュー領域５４０１におけるボタン５４０１ｂおよび５４０１ｃを操作した際の、留意事項マークおよび決定事項マークの設定について説明する。留意事項マークおよび決定事項マークは、会議中において音声などの情報を意図的に残したい場合に用いる。
【０１５７】
図２３は、実施形態に適用可能な留意事項マークおよび決定事項マークを設定するための処理を示す一例のフローチャートである。ステップＳ１４０で、電子黒板２２は、留意事項または決定事項の入力が開始されたか否かを判定する。例えば、電子黒板２２は、メニュー領域５４０１におけるボタン５４０１ｂおよび５４０１ｃの何れかに対する操作に応じて、留意事項または決定事項の入力の開始を判定する。
【０１５８】
より具体的には、電子黒板２２は、ボタン５４０１ｂまたは５４０１ｃに対する操作に応じて、留意事項または決定事項の詳細を入力するための入力画面を表示させる。
【０１５９】
図２４は、実施形態に適用可能な、ボタン５４０１ｂに対する操作に応じて表示される、留意事項を入力するための留意事項入力画面の例を示す。図２４において、留意事項入力画面５４０５は、入力領域５４０６および５４０７と、録音開始ボタン５４０８とを含む。入力領域５４０６は、留意事項のオーナを入力するための領域であって、会議の各メンバから、オーナを選択するようになっている。入力領域５４０７は、留意事項の種類を入力するための領域であって、予め用意された複数の留意事項の種類から１を選択するようになっている。
【０１６０】
録音ボタン５４０８は、録音の開始および終了をトグル操作により指示するためのボタンである。電子黒板２２は、録音ボタン５４０８に対する操作に応じて時系列上の時間を取得し、留意事項入力の開始または終了を示すポイントを、取得した時間に関連付けて設定し、設定したポイントと、ポイントに関連付けられた時間とをサーバ装置１０に送信する。例えば、電子黒板２２は、この留意事項入力画面５４０５が表示されて１回目の録音ボタン５４０８の操作に応じて、留意事項入力の開始を示すポイントを設定し、２回目の録音ボタン５４０８の操作に応じて、留意事項入力の終了を示すポイントを設定する。
【０１６１】
図２５は、ボタン５４０１ｃに対する操作に応じて表示される、決定事項を入力するための決定事項入力画面の例を示す。図２５において、決定事項入力画面５５００は、入力領域５５０１と、ボタン５５０２および５５０３とを含む。この場合、電子黒板２２は、ボタン５４０１ｃに対する操作に応じてこの決定事項入力画面５５００を表示させると共に、時系列上の時間を取得し、決定事項入力の開始を示すポイントを取得した時間に関連付けて設定する。電子黒板２２は、設定したポイントと、ポイントに関連付けられた時間とをサーバ装置１０に送信する。
【０１６２】
入力領域５５０１は、決定事項の内容をテキスト情報により入力するための領域である。ボタン５５０２は、決定事項入力操作をキャンセルするためのボタンである。電子黒板２２は、ボタン５５０２に対する操作に応じて、例えば、入力領域５５０１に入力されたテキスト情報を破棄すると共に、サーバ装置１０に対して、この決定事項入力画面５５００の表示に伴い設定されたポイントの削除を依頼する。
【０１６３】
ボタン５５０３は、入力領域５５０１に入力されたテキスト情報を確定させるためのボタンである。電子黒板２２は、例えば、ボタン５５０３の操作に応じて、入力領域５５０１に入力されたテキスト情報をサーバ装置１０に送信する。それと共に、電子黒板２２は、時系列上の時間を取得し、決定事項入力の終了を示すポイントを取得した時間に関連付けて設定する。電子黒板２２は、設定したポイントと、ポイントに関連付けられた時間とをサーバ装置１０に送信する。
【０１６４】
説明は図２３のフローチャートに戻り、ステップＳ１４０で、電子黒板２２は、留意事項または決定事項の入力が開始されていないと判定した場合（ステップＳ１４０、「Ｎｏ」）、処理をステップＳ１４０に戻し、ボタン５４０１ｂおよび５４０１ｃの何れかに対する操作を待機する。
【０１６５】
一方、電子黒板２２は、留意事項または決定事項の入力が開始されたと判定した場合（ステップＳ１４０、「Ｙｅｓ」）、処理をステップＳ１４１に移行させる。ステップＳ１４１で、電子黒板２２は、ボタン５４０１ｂおよび５４０１ｃの何れかに対する操作に応じて、時系列上の時間を取得し、留意事項または決定事項の入力の開始を示すポイントを、取得した時間に関連付けて設定する。電子黒板２２は、設定したポイントと、ポイントに関連付けられた時間とをサーバ装置１０に送信する。
【０１６６】
次のステップＳ１４２で、電子黒板２２は、留意事項入力画面５４０５または決定事項入力画面５５００における留意事項または決定事項の入力が終了したか否かを判定する。電子黒板２２は、入力が終了していないと判定した場合（ステップＳ１４２、「Ｎｏ」）、処理をステップＳ１４２に戻す。一方、電子黒板２２は、入力が終了したと判定した場合（ステップＳ１４２、「Ｙｅｓ」）、処理をステップＳ１４３に移行させる。
【０１６７】
ステップＳ１４３で、電子黒板２２は、時系列上の時間を取得し、留意事項または決定事項の入力の終了を示すポイントを、取得した時間に関連付けてサーバ装置１０に送信する。次のステップＳ１４４で、電子黒板２２は、留意事項入力画面５４０５または決定事項入力画面５５００に入力された入力内容を、サーバ装置１０に送信する。サーバ装置１０は、電子黒板２２から受信したこれら入力内容を、例えばそれぞれの開始を示すポイントに関連付けて保存する。
【０１６８】
図２６は、実施形態に適用可能な、留意事項および決定事項に関するマーカ情報について概略的に示す。図２６（ｃ）は、この会議の開始時間を基準とする時系列を示す。この例では、時系列上の時間ｔAIstおよびｔAIedに、それぞれ留意事項入力の開始および終了を示す各ポイントが設定されている。また、時系列上の時間ｔDSstおよびｔDSedに、それぞれ決定事項入力の開始および終了を示す各ポイントが設定されている。
【０１６９】
実施形態では、例えば留意事項入力の開始および終了を示す各ポイントのうち、開始を示すポイントに対して、留意事項を示すマーカ情報（第５の種類の意味情報）を設定する。以下では、留意事項を示すマーカ情報を適宜「アクションアイテムＡ．Ｉ」と呼び、「Ａ．Ｉ」として示す。
【０１７０】
同様に、決定事項入力の開始および終了を示す各ポイントのうち、開始を示すポイントに対して、決定事項を示すマーカ情報（第５の種類の意味情報）を設定する。以下では、決定事項を示すマーカ情報を適宜「ディシジョンＤＳ」と呼び、そのマーカを「ＤＳ」として示す。図２６（ｄ）は、留意事項の開始のポイントである時間ｔAIstにアクションアイテムＡ．Ｉによるマーカ「Ａ．Ｉ」が設定され、決定事項の開始ポイントである時間ｔDSstにディシジョンＤＳによるマーカ「ＤＳ」が設定された様子を示している。
【０１７１】
また、図２６（ａ）の例では、留意事項入力画面５４０５の入力領域５４０６および５４０７に入力された入力情報であるＡ．Ｉ入力データ５０は、アクションアイテムＡ．Ｉに関連付けられる。同様に、決定事項入力画面５５００の入力領域５５０１に入力された入力情報であるＤＳ入力データ５１は、ディシジョンＤＳに関連付けられる。
【０１７２】
なお、図２６（ｂ）に示されるように、音声データは、これらアクションアイテムＡ．ＩおよびディシジョンＤＳとは関わりなく、時系列に沿って記録される。例えば端末装置２０ｄは、後述するタイムライン画面におけるアクションアイテムＡ．Ｉの指定に応じて、時間ｔAIstから時間ｔAIedの間の音声データを選択的に再生することができる。同様に、端末装置２０ｄは、タイムライン画面におけるディシジョンＤＳの指定に応じて、時間ｔDSstから時間ｔDSedの間の音声データを選択的に再生することができる。
【０１７３】
これに限らず、音声データにおいて、例えば時間ｔAIstから時間ｔAIedの間の音声データを複製して、アクションアイテムＡ．Ｉによる音声データを新規に作成してもよい。
【０１７４】
（実施形態に適用可能な、端末装置に対する会議情報の提示例）
サーバ装置１０は、会議室２ａで開催されている会議の様子などを、会議室２ａから遠隔した場所にある端末装置２０ｃおよび２０ｄに提示することができる。図２７は、実施形態に適用可能な、例えばスマートフォンである端末装置２０ｄにおける会議閲覧画面の例を示す。
【０１７５】
図２７の例では、会議閲覧画面７００は、会議名表示部７０１と、チャネル選択部７０２と、会議情報表示部７０３と、トークボタン７０４と、機能指定部７０５と、画面切替部７０６とを含んでいる。なお、端末装置２０ｄを画面が横長の方向に保持した場合や、端末装置２０ｄがタブレット型コンピュータ、デスクトップ型コンピュータ、ノート型コンピュータであっても、会議閲覧画面７００は、同様の構成要素を含んで画面表示を行うことができる。
【０１７６】
画面切替部７０６は、画面の表示モードを切り替えるためのボタン７０６０、７０６１、７０６２および７０６３を含む。ボタン７０６０は、画面の表示モードを、議題に関する情報を表示する議題表示モードに切り替える。ボタン７０６１は、画面の表示モードを、チャットを行うためのチャット画面を表示するチャット表示モードに切り替える。例えば、端末装置２０ｄは、ボタン７０６１に対する操作に応じて、サーバ装置１０に対してチャットへの参加を要求し、要求に応じてチャットへの参加が許可されると、会議閲覧画面７００内に、チャット画面を表示させる。
【０１７７】
ボタン７０６２は、画面の表示モードを、当該会議における時系列上の時間経過を示すタイムラインを表示するタイムライン表示モードに切り替える。ボタン７０６３は、画面の表示モードを、会議の様子を中継する中継表示モードに切り替える。図２７の例は、この中継表示モードの例である。
【０１７８】
図２７の例では、中継表示モードの会議閲覧画面７００において、会議名表示部７０１は、現在閲覧している会議の会議名が表示される。チャネル選択部７０２は、端末装置２０ｄにおいて再生する音声データのチャネルを指定するための操作部である。端末装置２０ｄは、チャネル選択部７０２に対する操作に応じて、それぞれサーバ装置１０から送信される、例えば会議端末２５により収音された音声による音声データと、端末装置２０ｂにより収音された音声による音声データとのうち、所望の音声データを選択して再生することができる。
【０１７９】
会議情報表示部７０３は、会議室２ａにおける会議の様子を表示または提示する。図２７の例では、会議情報表示部７０３は、音声再生中を示すアイコン画像７０３０が表示され、チャネル選択部７０２で指定されたチャネルの音声データによる音声が再生されていることが示されている。
【０１８０】
トークボタン７０４は、端末装置２０ｄで収音した音声による音声データをサーバ装置１０に送信させるためのボタンである。例えば、端末装置２０ｄは、トークボタン７０４に対する操作に応じて、端末装置２０ｄのマイクロホン２０１３で収音した音声による音声データをサーバ装置１０に送信する。サーバ装置１０は、端末装置２０ｄから送信された音声データを受信すると、受信した音声データを例えばストレージ１００３に保存すると共に、会議端末２５に送信し再生させる。
【０１８１】
機能指定部７０５は、ボタン７０５０、７０５１および７０５２を含む。ボタン７０５０は、操作された時間に応じたマーカを設定するためのボタンである。ボタン７０５１は、端末装置２０ｄにおいてテキスト入力を行うためのボタンである。ボタン７０５１の操作に応じて入力されたテキスト情報は、サーバ装置１０に送信されて保存されると共に、サーバ装置１０から電子黒板２２に送信され、電子黒板２２において描画領域５４０２内の所定領域に表示される。
【０１８２】
ボタン７０５２は、端末装置２０ｄを使用しているユーザの、会議に対する反応を送信するためのボタンである。端末装置２０ｄは、ボタン７０５２に対する操作に応じて、サブメニューとして各種の反応を示す各アイコン画像を表示させ、サブメニューに表示される各アイコン画像に応じた情報を、サーバ装置１０に送信する。サーバ装置１０は、この情報を時系列上の時間と関連付けて保存すると共に、電子黒板２２に送信する。電子黒板２２は、サーバ装置１０から受信したこの情報に応じた例えばアイコン画像を、ディスプレイ２０２７ａの所定位置に表示する。
【０１８３】
なお、図２７の例では、中継表示モードの会議閲覧画面７００は、会議情報表示部７０３に音声再生中を示すアイコン画像７０３０が表示され、端末装置２０ｄは、チャネル選択部７０２で指定された音声データによる音声を再生しているが、これはこの例に限定されない。例えば、図２８に例示されるように、会議情報表示部７０３に、会議端末２５のカメラ２５ｃで撮影された映像データによる映像７０３２を表示させてもよい。
【０１８４】
図２９は、実施形態に適用可能な、図２７の会議閲覧画面７００においてボタン７０６０が操作され、会議閲覧画面７００の表示モードが描画領域表示モードに切り替えられた例を示す。この場合、会議情報表示部７０３には、電子黒板２２の描画領域５４０２内の画像が表示される。例えば、電子黒板２２は、所定の時間間隔で描画領域５４０２内の画像をサーバ装置１０に送信し、端末装置２０ｄがその画像を取得して表示することが考えられる。
【０１８５】
図３０は、実施形態に適用可能な、タイムライン表示モードによるタイムライン表示画面の例を示す。上述したように、端末装置２０ｄは、画面切替部７０６におけるボタン７０６２の操作に応じて、画面表示をタイムライン表示画面に切り替える。図３０において、タイムライン表示画面７１０は、マーカボタン７１１（後述する）と、画像表示領域７１２と、タイムライン表示領域７１３と、画面切替部７０６とを含んでいる。
【０１８６】
タイムライン表示領域７１３は、時系列に沿った時間経過を示すタイムライン７１３０が表示される。この例では、タイムライン７１３０は、画面の下から上に向けて時間が経過するように表示されている。これはこの例に限定されず、タイムライン７１３は、画面の上から下に向けて時間が経過するように表示してもよいし、画面の水平方向に時間の経過を表示してもよい。
【０１８７】
また、図３０の例では、タイムライン７１３０上に、マーカ７１３４、７１３５および７１３６が配置されている。マーカ７１３４および７１３５は、それぞれ上述したアクションアイテムＡ．ＩおよびディシジョンＤＳによるマーカ「Ａ．Ｉ」および「ＤＳ」であり、電子黒板２２上で指定されたマーカ情報に基づくマーカである。また、マーカ７１３６は、例えばユーザがこの端末装置２０ｄ上で指定したマーカ情報に基づくマーカである。各マーカ７１３４、７１３５および７１３６は、それぞれ、時系列上で指定された時間に対応するタイムライン７１３０上の位置に配置される。
【０１８８】
タイムライン表示領域７１３において、時間指定線７１３１は、タイムライン７１３０上で現在指定されている時間を示している。時間指定線７１３１は、ユーザ操作に応じてタイムライン７１３０上を移動させ、指定する時間を変更することができる。また、図３０の例では、時間指定線７１３１に指定された時間に対応する、電子黒板２２の描画領域５４０２内の画像が、画像表示領域７１２に表示されている。また、テキスト表示領域７１３３は、例えば時間指定線７１３１で指定された時間に、アクションアイテムＡ．Ｉのマーカ７１３４や、ディシジョンＤＳのマーカ７１３５があった場合、アクションアイテムＡ．ＩやディシジョンＤＳに対して入力されたテキスト情報が表示される。
【０１８９】
図３０において、タイムライン表示領域７１３の中央部（タイムライン７１３０の右側）には、タイムライン７１３０上の各時間に対応する電子黒板２２の描画領域５４０２内の各画像が、サムネイル画像７１３２1、７１３２2、７１３２3として表示されている。これらサムネイル画像７１３２1、７１３２2、７１３２3のうち所望のサムネイル画像を指定することで、指定されたサムネイル画像に対応する電子黒板２２の描画領域５４０２内の画像を、画像表示領域７１２に表示させることができる。
【０１９０】
図３１は、実施形態に適用可能な、議題表示モードによる議題表示画面の例を示す。上述したように、端末装置２０ｄは、画面切替部７０６におけるボタン７０６０の操作に応じて、画面表示を議題表示画面に切り替える。図３１において、議題表示画面７２０は、表示領域７２１、７２２、７２３および７２４を含んでいる。
【０１９１】
表示領域７２３および７２４は、それぞれ議題の詳細を表示するための領域である。図３１の例では、表示領域７２４は、議題のみが表示され、右端に配置されるアイコンを指定することで領域が拡張され、議題の詳細が表示されるようになる。表示領域７２３は、領域が拡張された状態であって、議題の詳細として、この議題に応じて指定されたアクションアイテムＡ．Ｉの内容を示す情報７２３１と、ディシジョンＤＳの内容を示す情報７２３２とが表示されている。
【０１９２】
表示領域７２１は、この例では、この端末装置２０ｄを使用しているユーザが入力したアクションアイテムＡ．Ｉの内容の概略が表示されている。表示領域７２１内の所定の位置（例えば右下隅）を指定することで、図３２に示されるように、当該アクションアイテムＡ．Ｉのより詳細な内容が表示される。図３２において、アクションアイテム表示画面７３０は、表示領域７３１、７３２および７３３を含む。
【０１９３】
表示領域７３１は、当該アクションアイテムＡ．Ｉが係る会議の議題が表示される。表示領域７３１は、当該アクションアイテムＡ．Ｉが指定された時系列上の時間における電子黒板２２の描画領域５４０２内の画像７３２０が表示されると共に、音声データを再生させるための再生ボタン７３２１が配置される。再生ボタン７３２１は、サーバ装置１０に記録される音声データを、当該アクションアイテムＡ．Ｉが指定された時系列上の時間（図２６の例では時間ｔAIst）から再生させるためのボタンである。
【０１９４】
また、ボタン７５１０は、再生ボタン７３２１の操作に応じて再生される音声データの再生速度を指定するボタンである。図３２の例では、ボタン７５１０上に「×２」と表示され、音声データを、記録時の速度の２倍の速度で再生する２倍速再生が指定されていることが示されている。サーバ装置１０は、このボタン７５１０に指定された再生速度に応じて、再生する音声データに対してサンプル単位の間引きおよび補間処理、あるいは、リサンプル処理などを施すことにより、記録された際の速度と異なる速度で音声データを再生することができる。
【０１９５】
表示領域７３３は、当該アクションアイテムＡ．Ｉに関して、指定された時間と、内容とが表示される。
【０１９６】
（実施形態に適用可能なマーカの処理）
次に、実施形態に適用可能なマーカ処理について説明する。先ず、基本的なマーカ処理について、図３３〜図３６を用いて説明する。図３３に示す会議閲覧画面７００において、例えばユーザ操作に応じたポインタ７０７０によりボタン７０５０を指定し、ポインタ７０７０を、矢印７０７１に示すように、画面の表示モードをタイムライン表示モードに切り替えるボタン７０６２に移動させることで（ドラッグ操作）、現在の時間に対応するマーカを設定することができる。端末装置２０ｄは、設定されたマーカを示す情報を、例えば、当該時間を示す情報に関連付けてＲＡＭ２００２に記憶する。
【０１９７】
ユーザが指定したマーカに関連付けられる時間における情報を表示させる場合、図３４に例示するように、先ずボタン７０６２を操作して表示モードをタイムライン表示モードに切り替える。その上で、矢印７０７２に示されるように、マーカボタン７１１を操作する。端末装置２０ｄは、このマーカボタン７１１に対する操作に応じて、画面の表示を、図３５に示されるマーカ一覧画面７４０に切り替える。
【０１９８】
図３５において、マーカ一覧画面７４０は、表示領域７４００に、当該会議の時系列上で設定されたマーカが一覧表示される。図３５の例では、各マーカが、設定された時刻を示す情報を用いて一覧表示されている。端末装置２０ｄは、表示領域７４００に表示されるマーカを示す情報の一覧に対してマーカを指定する操作がなされると、当該マーカのマーカ情報に関連付けられた時間を示す情報をサーバ装置１０に送信し、当該時間に関連する情報をサーバ装置１０に要求する。
【０１９９】
サーバ装置１０は、この要求に応じて、当該時間に対応する情報を、端末装置２０ｄに送信する。サーバ装置１０が端末装置２０ｄに送信する情報としては、電子黒板２２の描画領域５４０２内の画像、記録された音声データや映像データの、当該時間を再生開始ポイントとしたストリーム、当該時間に電子黒板２２に提示されている資料データなどが考えられる。
【０２００】
また、端末装置２０ｄは、このマーカ指定の操作に応じて、画面の表示を、指定されたマーカに対応してサーバ装置１０から送信された情報を提示するための情報表示画面に切り替える。図３６は、実施形態に適用可能な情報表示画面の例を示す。図３６において、情報表示画面７５０は、表示領域７５１、７５２および７５３を含む。表示領域７５１は、マーカに対応する時間に、電子黒板２２の描画領域５４０２に表示されていた画像が表示される。表示領域７５２は、当該マーカが設定された時間を示す情報が表示される。また、この例では、サーバ装置１０は、音声データを例えば逐次的にテキスト情報に変換して保存する機能を備え、表示領域７５３には、このサーバ装置１０により変換されたテキスト情報における、マーカに対応する時間を含む所定範囲のテキスト情報が表示されている。
【０２０１】
また、図３６の例においても、情報表示画面７５０は、図３２で説明したアクションアイテム表示画面７３０と同様に、再生速度を指定するためのボタン７５１０が設けられている。表示領域７５３に音声データが変換されたテキスト情報が表示されるこの例では、例えば、ボタン７５１０の操作に応じて再生速度が変更された音声データにおけるテキスト情報の対応する部分のタイミングに応じて、表示領域７５３に表示されるテキスト情報が更新される。
【０２０２】
（実施形態）
次に、実施形態について説明する。会議に参加する参加者は、直接参加、遠隔参加および準参加の何れの参加形態に関わらず、会議途中で一時的に退席することが有り得る。参加者は、会議途中で退席した場合、会議に復帰した際に、退席してから復帰するまでの議事を把握できることが好ましい。実施形態では、この、参加者が、自身が会議に一時的に参加していない間の情報を容易に取得可能とする。
【０２０３】
サーバ装置１０は、各端末装置２０ａ〜２０ｄからの要求に従い、参加者の退席および復帰を示すマーカ情報を設定する。図３７は、図３３で示した会議閲覧画面７００に対して、ユーザの退席（ＡＷＹ）および復帰（ＲＴＮ）を示すマーカを設定するためのボタン７０７０ａおよび７０７０ｂを設けた例を示す。
【０２０４】
例えば、ボタン７０７０ａおよび７０７０ｂは、マーカ設定のためのボタン７０５０を長押しすることで、ポインタ７０７０の両側に表示される拡張ポインタである。これに限らず、ボタン７０７０ａおよび７０７０ｂをボタン画像として予め表示させておいてもよい。例えば、表示されたボタン７０７０ａを指定して、指定位置を図中に矢印７０７１’に例示されるようにボタン７０６２に移動させることで、退席を示すマーカの情報が、操作された時間を示す情報に関連付けられてＲＡＭ２００２に記憶される。例えば、ユーザは、会議から一時的に退席するような場合に、退席を示すボタン７０７０ａを操作する。
【０２０５】
復帰を示すボタン７０７０ｂについても、同様である。例えば、ユーザは、退席から復帰すると、ボタン７０７０ｂを操作する。これにより、復帰を示すマーカの情報が、操作された時間を示す情報に関連付けられてＲＡＭ２００２に記憶される。このとき、端末装置２０ｄは、退席を示すマーカ種類のマーカ情報と、復帰を示すマーカ種類のマーカ情報とを、１対のマーカ情報として互いに関連付けて記憶する。
【０２０６】
ここで、端末装置２０ｄは、ボタン７０７０ｂが操作され、復帰を示すマーカ情報が設定された場合に、この復帰を示すマーカ情報と対となる退席を示すマーカ情報をサーバ装置１０に送信し、サーバ装置１０に対して、退席時からの情報を要求することができる。
【０２０７】
以下、端末装置２０ｄから退席時からの情報を要求された場合のサーバ装置１０における処理について説明する。
【０２０８】
図３８は、会議の進行を概略的に示す。図３８において、左から右に向けて時間が進む時系列に沿って会議が進行しているものとする。サーバ装置１０は、図３８（ａ）に示されるように、会議の進行に応じて音声および映像を記録する。また、資料＃１〜＃７が、それぞれ時間ｔ1〜ｔ7において例えば電子黒板２２に表示されたものとする。サーバ装置１０は、これら各資料＃１〜＃７も、電子黒板２２に表示された各時間ｔ1〜ｔ7に関連付けて、例えばログに記録する。
【０２０９】
この例において、例えば端末装置２０ｄを使用しているユーザが、時間ｔawy（第１の時点）で会議を一時的に退席し、時間ｔrtn（第２の時点）に会議に復帰したものとする。この場合、ユーザは、時間ｔawyから時間ｔrtnの間（図にて斜線を付して示す）は会議に参加していない。したがって、ユーザが復帰後に会議に円滑に参加するためには、時間ｔawyからの議事を何らかの方法で確認することが好ましい。
【０２１０】
そのため、ユーザは、退席時に、端末装置２０ｄにおいて、退席を示すボタン７０７０ａの操作を行う。端末装置２０ｄは、ボタン７０７０ａの操作に応じて、退席した時間ｔawyを含むマーカ情報を作成し、ＲＡＭ２００２に記憶する。
【０２１１】
ユーザは、例えば時間ｔrtnに会議に復帰した際に、端末装置２０ｄにおいて復帰を示すボタン７０７０ｂを操作する。端末装置２０ｄは、ボタン７０７０ｂの操作に応じて、ＲＡＭ２００２に記憶される、退席した時間ｔawyを含むマーカ情報をサーバ装置１０に送信し、時間ｔawyからの情報をサーバ装置１０に要求する。
【０２１２】
サーバ装置１０は、端末装置２０ｄから送信された退席を示すマーカ情報に基づき、記録された音声データおよび映像データを、当該音声データおよび映像データ上の、退席を示すマーカ情報に示される時間ｔawyから再生し、再生した音声データおよび映像データをストリームとして端末装置２０ｄに送信する。また、サーバ装置１０は、議事において例えば電子黒板２２に表示させた資料データがある場合、その資料データも、表示時間と関連付けて端末装置２０ｄに送信する。
【０２１３】
端末装置２０ｄは、サーバ装置１０から受信した音声データによる音声をスピーカ２０１４から出力し、映像データによる映像を、ディスプレイ２０１１に対し、例えば会議閲覧画面７００に表示させる。また、端末装置２０ｄは、サーバ装置１０から受信した資料データの表示も行うことができる。これにより、ユーザは、会議における、自身が一時的に退席してからの議事を確認することが可能である。
【０２１４】
ところで、この場合、音声および映像を記録時と同一速度で再生すると、再生内容が現在の議事の進行に追い付かず、ユーザが会議の内容を把握することが困難となるおそれがある。そのため実施形態では、サーバ装置１０は、図３８（ｂ）に示されるように、端末装置２０ｄからの要求に従った、退席の時間ｔawyからの音声データおよび映像データを、記録時の速度よりも高速で再生させる。
【０２１５】
より具体的には、サーバ装置１０は、退席の時間を示すマーカ情報に基づき、ユーザの退席時間である時間ｔawyを起点とした音声データおよび映像データを、端末装置２０ｄにおいて復帰を示すボタン７０７０ｂが操作され、当該マーカ情報が端末装置２０ｄから送信された時間ｔrtnから再生して端末装置２０ｄに送信する。
【０２１６】
このとき、サーバ装置１０は、時間ｔawyからの音声データおよび映像データを、記録時の速度に対して高速の再生速度で再生して、端末装置２０ｄに送信する。換言すれば、サーバ装置１０は、記録時に第１の単位時間に記録される所定量の情報を、当該単位時間よりも短い第２の単位時間で再生する。
【０２１７】
第１の単位時間に基づき第１の時系列が形成され、第２の単位時間に基づき第２の時系列が形成される。図３８（ｂ）の例では、第１の時系列上の各時間ｔ3、ｔ4、ｔ5、ｔ6は、第２の時系列上の各時間ｔ3’、ｔ4’、ｔ5’、ｔ6’にそれぞれ対応する。
【０２１８】
第１の単位時間で記録された、すなわち第１の時系列に従い記録された時間ｔawyから時間ｔrtnまでの情報を、第２の単位時間に基づき、すなわち第２の時系列に従い再生している間にも、第１の時系列に従った情報の記録は継続される。第１の時系列上の時間と、第２の時系列上の時間とが一致する時間ｔEDにおいて、音声データおよび映像データの再生が、第２の時系列に従った再生から第１の時系列に従った再生に切り替えられる。
【０２１９】
このように、会議を記録した音声データおよび映像データの再生を制御することにより、第１の時間より前の第２の時間から記録中の音声データを、第１の時間から再生させた場合に、再生された音声データの再生位置を、記録中の音声データの記録位置に追い付かせることができる。したがって、ユーザは、会議を一時的に退席して復帰した際に、会議において自身が一時的に退席している部分の議事を確認でき、且つ、復帰後の議事に対応することが容易となる。
【０２２０】
（第１の実施形態）
次に、第１の実施形態について説明する。第１の実施形態では、上述した、時間ｔawyからの音声データおよび映像データの再生を、記録時のレートに対してより高速のレートで行う。図３９は、第１の実施形態に係る処理を概略的に説明するための図である。図３９において、横軸は時間、縦軸は時間を関数とするデータＳ(ｔ)を示す。ここでは、データＳ(ｔ)が音声データであるものとして説明するが、データＳ(ｔ)は、映像データであってもよい。時間ｔawyから時間ｔrtnの間、ユーザが退席しており、ユーザは、その間のデータＳ(ｔawy)〜Ｓ(ｔrtn)に対応する情報を確認していない。
【０２２１】
図３９において、直線８００は、データＳ(ｔ)が第１の時系列に沿って記録される様子を示す。直線８０１は、時間ｔawyから時間ｔrtnの間に記録されたデータＳ(ｔawy)〜Ｓ(ｔrtn)を、時間ｔrtnから、第２の時系列に沿って再生する様子を示している。記録時のレートに対して、再生時のレートをｎ倍速（ｎ＞１）とすることで、直線８０１の傾きが直線８００の傾きより大きくなり、直線８００と直線８０１とが時間ｔcrs（第３の時点）で交差し、再生が記録に追い付く。
【０２２２】
値ｎは、（ｎ＞１）を満たしていれば特に限定されないが、一般的に、記録された音声（会話など）を人が認識可能な上限の再生速度が、記録時の速度の１．３倍程度であるとされていることを鑑みると、値ｎは、例えば１．２乃至１．４程度の値とすると好ましい。
【０２２３】
図４０は、第１の実施形態に適用可能な、サーバ装置１０における映像音声処理部１０４０の一例の構成を示す。なお、図４０は、音声データに対する処理を行う構成の例を示している。映像音声処理部１０４０は、音声データ処理の構成として、バッファメモリ１１４０と、音声処理部１１４１とを含む。
【０２２４】
音声処理部１１４１は、入力された音声データ（ｎ倍速に対して１倍速とする）を、所定量毎にバッファメモリ１１４０に格納する。ここでは、入力される音声データは、サンプリング周波数が４８ｋＨｚであるとする。音声処理部１１４１は、バッファメモリ１１４０に格納された音声データを、既存の手法を用いて、ｎ倍速の値ｎに応じて（４８／ｎ）ｋＨｚのサンプリング周波数でリサンプリングする。音声処理部１１４１は、リサンプリングされた音声データの各サンプルを４８ｋＨｚのサンプリング周波数に従いバッファメモリ１１４０から読み出して出力する。これにより、音声処理部１１４１に入力された１倍速の音声データが、ｎ倍速の音声データに変換されて出力される。
【０２２５】
なお、ここでは、音声データについて説明したが、これは、映像データについても同様に適用できる。映像データの場合、１倍速の映像データに対して値ｎに従い例えば既存の手法を用いてフレーム間引きを行い、ｎ倍速の映像データを得ることができる。
【０２２６】
図４１は、第１の実施形態に係るサーバ装置１０における音声データ再生処理を示す一例のフローチャートである。なお、以下では、ｎ倍速における値ｎが予め定められているものとする。したがって、ｎ倍速で再生される音声データが１倍速で記録される音声データに追い付く位置（上述の時間ｔcrs）は、予め求めることができる。
【０２２７】
ステップＳ２００で、サーバ装置１０は、例えば端末装置２０ｄに対するボタン７０７０ｂの操作に応じた、退席時からの音声データの再生指示を受け付ける。この再生指示は、サーバ装置１０の会議ＩＤが対応するプロジェクト管理部１０４における音声処理部１１４１に渡される。
【０２２８】
なお、会議ＩＤは、端末装置２０ｄがボタン７０７０ｂの操作に応じてサーバ装置１０に送信してもよいし、サーバ装置１０が、再生指示を送信した端末装置２０ｄの情報に基づき会議管理テーブルなどを参照して取得してもよい。
【０２２９】
次のステップＳ２０１で、音声処理部１１４１は、サーバ装置１０から、時間ｔawyからの音声データの再生指示を受け取ると、ストレージ１００３に記録された、会議ＩＤに関連付けられた音声データから所定長さの音声データを取得し、バッファメモリ１１４０に格納する。
【０２３０】
次のステップＳ２０２で、音声処理部１１４１は、バッファメモリ１１４０に格納された音声データに対してリサンプリング処理を実行する。ここでは、説明のため、リサンプリング処理は、バッファメモリ１１４０に格納された音声データの先頭から順次実行するものとする。リサンプリング処理された音声データは、サーバ装置１０から端末装置２０ｄに送信され、端末装置２０ｄにおいて再生される。
【０２３１】
次のステップＳ２０３で、音声処理部１１４１は、音声データの再生位置が所定位置（時間ｔcrs）を超えたか否かを判定する。音声処理部１１４１は、超えていないと判定した場合（ステップＳ２０３、「Ｎｏ」）、処理をステップＳ２０４に移行させる。
【０２３２】
ステップＳ２０４で、音声処理部１１４１は、バッファメモリ１１４０における、一定以上の未処理の音声データの有無を判定する。一定以上の未処理の音声データが有ると判定した場合（ステップＳ２０４、「Ｙｅｓ」）、音声処理部１１４１は、処理をステップＳ２０２に戻し、リサンプリング処理を続行する。一方、バッファメモリ１１４０に一定以上の未処理の音声データが無いと判定した場合（ステップＳ２０４、「Ｎｏ」）、処理をステップＳ２０１に戻す。
【０２３３】
ステップＳ２０３で、音声データの再生位置が所定位置（時間ｔcrs）を超えたと判定した場合（ステップＳ２０３、「Ｙｅｓ」）、音声処理部１１４１は、処理をステップＳ２０５に移行させる。ステップＳ２０５で、音声処理部１１４１は、リサンプリング処理を中止し、通常再生、すなわちストレージ１００３に記録される音声データを再生速度を変更せずに再生する。ステップＳ２０５で音声データの通常再生が開始されると、図４１のフローチャートによる一連の処理が終了される。
【０２３４】
（第２の実施形態）
次に、第２の実施形態について説明する。上述した第１の実施形態では、音声データの再生速度を、単純に記録時の速度に対して高速とすることで、音声データの高速再生を行っていた。これに対して、第２の実施形態では、音声データの無音部分を検出し、検出された無音部分をスキップさせて当該音声データを再生する。
【０２３５】
図４２は、第２の実施形態に係る再生処理を概略的に示す。図４２（ａ）は、会議中に記録されストレージ１００３に保存された音声データの例を示す。図４２（ａ）において、音声８０1〜８０4が検出された以外の各区間は、所定レベル以上の音声が検出されない無音区間Ｍｔであるものとする。
【０２３６】
第２の実施形態では、図４２（ａ）の音声データにおいて、各無音区間Ｍｔをスキップして当該音声データを再生する。例えば、図４２（ａ）の音声データにおいて、各無音区間Ｍｔを削除して、図４２（ｂ）に示されるように、各音声８０1〜８０4を連続させる。サーバ装置１０は、この各音声８０1〜８０4を連続させた音声データを、端末装置２０ｄに送信する。なお、図４２（ａ）および図４２（ｂ）の例では、音声８０4の記録中に当該音声８０4の再生が開始されているため、音声８０4の再生が終了してから、再生を通常再生に切り替えている。
【０２３７】
無音区間Ｍｔが削除されたことにより、音声データの長さが短くなり、第１の時間より前の第２の時間から記録中の音声データを、第１の時間から再生させた場合に、再生された音声データの再生位置を、記録中の音声データの記録位置に追い付かせることができる。したがって、ユーザは、会議を一時的に退席して復帰した際に、会議において自身が一時的に退席している部分の議事を確認でき、且つ、復帰後の議事に対応することが容易となる。
【０２３８】
（第２の実施形態の変形例）
次に、第２の実施形態の変形例について説明する。第２の実施形態の変形例は、上述した第１の実施形態に係る高速再生を、第２の実施形態に適用させたものである。図４３を用いて、第２の実施形態の変形例について、概略的に説明する。図４３（ａ）は、上述の図４２（ａ）と同一であるので説明を省略する。第２の実施形態の変形例では、無音区間Ｍｔを削除すると共に、図４３（ｂ）に示されるように、各音声８０1〜８０3をそれぞれ例えばリサンプリング処理によりｎ倍速の再生速度の音声データ８０1’、８０2’、８０3’に変換する。
【０２３９】
第２の実施形態の変形例では、音声データの無音区間を削除すると共に、音声８０1、８０2、８０3をｎ倍速の再生速度の音声データ８０1’、８０2’、８０3’に変換しているため、通常再生への切り替えを、より速いタイミングで実行することが可能である。図４３（ａ）および図４３（ｂ）の例では、音声８０3’の再生の終了時に、記録中の音声データにおいて音声８０3’に対応する音声８０3の次の音声８０4の記録が行われ、記録中の音声データが再生中の音声データを追い越している。この、記録中の音声データが再生中の音声データを追い越したタイミングで再生が通常再生に切り替えられ、通常再生により、記録中の音声８０4が再生されている。
【０２４０】
図４４を用いて、第２の実施形態およびその変形例に共通して適用可能な無音区間Ｍｔの検出方法の例について、概略的に説明する。なお、第２の実施形態およびその変形例では、音声データの処理に関し、図４０を用いて説明した映像音声処理部１０４０の構成をそのまま適用可能であるので、ここでの詳細な説明を省略する。
【０２４１】
音声処理部１１４１は、入力された音声データ（ｎ倍速に対して１倍速とする）を、所定量毎にバッファメモリ１１４０に格納する。音声処理部１１４１は、バッファメモリ１１４０に格納した音声データ８０に対してローパスフィルタ処理を施し、音声データ８０のエンベロープ８１を生成する。音声処理部１１４１は、生成されたエンベロープ８１に対して、閾値ｔｈによる判定を行い、エンベロープ８１のレベルが閾値ｔｈの範囲内の区間を無音区間Ｍｔと判定する。
【０２４２】
図４５は、第２の実施形態およびその変形例に係るサーバ装置１０における音声データ再生処理を示す一例のフローチャートである。ステップＳ２２０で、サーバ装置１０は、例えば端末装置２０ｄに対するボタン７０７０ｂの操作に応じた、退席時からの音声データの再生指示を受け付ける。この再生指示は、サーバ装置１０の会議ＩＤが対応するプロジェクト管理部１０４における音声処理部１１４１に渡される。
【０２４３】
次のステップＳ２２１で、音声処理部１１４１は、サーバ装置１０から、時間ｔawyからの音声データの再生指示を受け取ると、ストレージ１００３に記録された、会議ＩＤに関連付けられた音声データから所定長さの音声データを取得し、バッファメモリ１１４０に格納する。次のステップＳ２２２で、音声処理部１１４１は、バッファメモリ１１４０に格納された音声データに対してローパスフィルタ処理を施し、エンベロープ８１を検出する。
【０２４４】
次のステップＳ２２３で、音声処理部１１４１は、ステップＳ２２２で検出されたエンベロープ８１に対して閾値ｔｈによる判定を行い、無音区間Ｍｔの探索を行う。次のステップＳ２２４で、音声処理部１１４１は、音声データの再生位置が所定位置を超えたか否かを判定する。この場合には、例えば、図４２および図４３を用いて説明したように、記録中の音声データが、再生中の音声データを追い越したタイミングで、所定位置を超えたと判定することができる。音声処理部１１４１は、所定位置を超えていないと判定した場合（ステップＳ２２４、「Ｎｏ」）、処理をステップＳ２２５に移行させる。
【０２４５】
ステップＳ２２５で、音声処理部１１４１は、バッファメモリ１１４０における、一定以上の未処理の音声データの有無を判定する。一定以上の未処理の音声データが有ると判定した場合（ステップＳ２２５、「Ｙｅｓ」）、音声処理部１１４１は、処理をステップＳ２２３に戻し、無音区間Ｍｔの探索処理を続行する。一方、バッファメモリ１１４０に一定以上の未処理の音声データが無いと判定した場合（ステップＳ２２５、「Ｎｏ」）、処理をステップＳ２２６に移行させる。
【０２４６】
ステップＳ２２６で、音声処理部１１４１は、ステップＳ２２３での無音区間Ｍｔの探索結果に従い、バッファメモリ１１４０に格納された音声データを、無音区間Ｍｔをスキップさせて出力する。そして、処理をステップＳ２２１に戻す。
【０２４７】
ステップＳ２２４で、音声データの再生位置が所定位置を超えたと判定した場合（ステップＳ２２４、「Ｙｅｓ」）、音声処理部１１４１は、処理をステップＳ２２７に移行させる。ステップＳ２２７で、音声処理部１１４１は、ステップＳ２２６と同様に、ステップＳ２２３での無音区間Ｍｔの探索結果に従い、バッファメモリ１１４０に格納された音声データを、無音区間Ｍｔをスキップさせて出力する。そして、音声処理部１１４１は、音声データの再生を通常再生に切り替えて、図４５のフローチャートによる一連の処理が終了される。
【０２４８】
（第３の実施形態）
次に、第３の実施形態について説明する。第３の実施形態では、上述した、時間ｔawyからの音声データをテキスト情報に変換して出力する。図４６は、第３の実施形態に係る処理を概略的に説明するための図である。図４６において、各符号などが示す意味は、上述した図３９と同様なので、ここでの説明を省略する。
【０２４９】
時間ｔawyから時間ｔrtnの間に記録された音声データＳ(ｔawy)〜Ｓ(ｔrtn)のテキスト情報への変換が、時間ｔrtnにおいて開始され、例えば時間ｔ30に完了する（領域８３1）。次に、時間ｔrtnから時間ｔ30の間に記録された音声データＳ(ｔrtn)〜Ｓ(ｔx)のテキスト情報への変換が時間ｔ30において開始され、例えば時間ｔ31に完了する（領域８３2）。
【０２５０】
このように、記録された音声データをテキスト情報に変換し、その変換に要した時間に新たに記録された音声データを、さらに変換する、という処理を、テキスト情報への変換対象の音声データが、記録中の音声データに追い付くまで繰り返す。図４６の例では、領域８３3においてテキスト情報への変換の対象となる音声データが、記録中の音声データに追い付いている（時間ｔcrs）。この場合、領域８３1、８３2および８３3の斜辺が、第２の時系列に対応すると考えることができる。
【０２５１】
図４７は、第３の実施形態に適用可能な、サーバ装置１０におけるテキスト化部１０４７の一例の構成を示す。テキスト化部１０４７は、バッファメモリ１２４０と、テキスト変換部１２４１とを含む。
【０２５２】
例えばストレージ１００３から読み出された音声データがテキスト変換部１２４１に入力される。テキスト変換部１２４１は、入力された音声データをバッファメモリ１２４０に格納する。テキスト変換部１２４１は、バッファメモリ１２４０に格納された音声データを、既知の音声認識技術を用いてテキスト情報に変換する。例えば、テキスト変換部１２４１は、予め学習された音響モデルを用いて音声データに含まれる音声を認識し、認識された一連の音声の集合をワードとして特定する。ワードの特定には、例えば隠れマルコフモデルを用いることができる。テキスト変換部１２４１は、音声データが変換されたテキスト情報を出力する。
【０２５３】
なお、テキスト変換部１２４１による、音声データのテキスト変換処理は、変換対象の音声データの再生速度に対して十分高速に実行可能であるものとする。
【０２５４】
図４８は、第３の実施形態に係るサーバ装置１０におけるテキスト変換処理を示す一例のフローチャートである。ステップＳ２４０で、サーバ装置１０は、例えば端末装置２０ｄに対するボタン７０７０ｂの操作に応じた、退席時（時間ｔawy）からの音声データの再生指示を受け付ける。この再生指示は、サーバ装置１０の会議ＩＤが対応するプロジェクト管理部１０４におけるテキスト化部１０４７に渡される。
【０２５５】
次のステップＳ２４１で、テキスト化部１０４７においてテキスト変換部１２４１は、サーバ装置１０から、時間ｔawyから時間ｔrtnの間に記録された音声データの再生指示を受け取ると、ストレージ１００３に記録された、会議ＩＤに関連付けられた音声データから当該期間の音声データを取得し、バッファメモリ１２４０に格納する。
【０２５６】
次のステップＳ２４２で、テキスト変換部１２４１は、バッファメモリ１２４０から音声データを読み出して、読み出した音声データに対してテキスト変換処理を施す。テキスト変換部１２４１は、音声データが変換されたテキスト情報を出力する。サーバ装置１０は、テキスト変換部１２４１から出力されたテキスト情報を、端末装置２０ｄに送信する。
【０２５７】
次のステップＳ２４３で、テキスト変換部１２４１は、テキスト変換された音声データが、記録中の音声データに追い付いたか否かを判定する。テキスト変換部１２４１は、追い付いていないと判定した場合（ステップＳ２４３、「Ｎｏ」）、処理をステップＳ２４４に移行させる。
【０２５８】
ステップＳ２４４で、テキスト変換部１２４１は、ステップＳ２４２のテキスト変換処理中に記録が進んだ音声データをストレージ１００３から取得し、バッファメモリ１２４０に格納する。テキスト変換部１２４１は、音声データのバッファメモリ１２４０への格納が完了すると、処理をステップＳ２４２に戻し、バッファメモリ１２４０に格納された音声データのテキスト変換処理を行う。
【０２５９】
一方、ステップＳ２４３で、テキスト変換部１２４１は、テキスト変換された音声データが、記録中の音声データに追い付いた（時間ｔcrs）と判定した場合（ステップＳ２４３、「Ｙｅｓ」）、図４８のフローチャートによる一連の処理を終了する。
【０２６０】
図４８のフローチャートによる処理が終了されると、サーバ装置１０は、時間ｔcrsからの音声データを端末装置２０ｄに送信する。これに限らず、サーバ装置１０は、図４８のフローチャートによる処理が終了された以降も、テキスト化部１０４７によるテキスト変換処理を継続させてもよい。
【０２６１】
図４９は、第３の実施形態に係る、例えば端末装置２０ｄにおいて、音声データが変換されたテキスト情報が表示されるタイムライン表示画面７１０の例を示す。例えば、サーバ装置１０は、図３７の会議閲覧画面７００において、ボタン７０７０ｂの操作に応じて、このタイムライン表示画面７１０を表示させる。
【０２６２】
図４９の例では、タイムライン表示領域７１３の右側の領域に、サーバ装置１０のテキスト化部１０４７において音声データが変換されたテキスト情報７１３３1、７１３３2が表示される。また、タイムライン表示領域７１３において、ユーザが退席したことを示すマーカ７１３７が、図３７の会議閲覧画面７００においてユーザがボタン７０７０ａを操作した時間に対応するタイムライン７１３０上の位置に配置される。
【０２６３】
このように、第３の実施形態では、ユーザが退席した時点から記録された音声データを逐次的にテキスト情報に変換してユーザに提示している。そのため、ユーザは、会議を一時的に退席して復帰した際に、会議において自身が一時的に退席している部分の議事を確認でき、且つ、復帰後の議事に対応することが容易となる。
【０２６４】
（第４の実施形態）
次に、第４の実施形態について説明する。第４の実施形態は、サーバ装置１０は、ユーザが会議を一時的に退席している間に電子黒板２２の描画領域５４０２に表示された画像や、電子黒板２２により提示された資料データの画像を、当該ユーザが使用する、例えば端末装置２０ｄに提示する。サーバ装置１０は、端末装置２０ｄに提示するこれらの画像を、当該ユーザによる特定のアクションに応じて切り替える。
【０２６５】
例えば、ユーザにより、端末装置２０ｄに表示された、図３７に示した会議閲覧画面７００におけるボタン７０７０ｂに対する操作に応じて、サーバ装置１０は、ユーザの退席した時間ｔawyから復帰の時間ｔrtnの間に電子黒板２２の描画領域５４０２に表示された画像や、電子黒板２２により提示された資料データの画像を端末装置２０ｄに送信する。
【０２６６】
端末装置２０ｄは、図４９を用いて説明したタイムライン表示画面７１０を表示させ、タイムライン表示画面７１０に対し、サーバ装置１０から送信された各画像のサムネイル画像７１３２1、７１３２2および７１３２3を、タイムライン表示領域７１３に表示させる。端末装置２０ｄは、ユーザの各サムネイル画像７１３２1、７１３２2および７１３２3に対する操作に応じて、指定されたサムネイル画像に対応する画像を、画像表示領域７１２に表示させる。
【０２６７】
このように、ユーザは、端末装置２０ｄに対する操作に応じて、自身が退席してから復帰するまでの間に電子黒板２２の描画領域５４０２に表示された画像や、電子黒板２２により提示された資料データの画像から所望の画像を選択して、画像表示領域７１２に表示させることができる。これにより、ユーザは、自身が退席中の会議の議事を、容易に把握することが可能になる。
【０２６８】
（実施形態の他の例）
上述では、端末装置２０ｄは、ユーザの退席や復帰の時間を、会議閲覧画面７００上のボタン７０７０ａおよび７０７０ｂに対する操作に応じてサーバ装置１０に送信したが、これはこの例に限定されない。例えば、端末装置２０ｄは、マイクロホン２０１３で収音したユーザの音声を音声処理部２０４により解析し、解析の結果、当該音声に予め定めたキーワードが含まれていると判定した場合に、退席や復帰の時間を検知してサーバ装置１０に送信してもよい。同様に、端末装置２０ｄは、カメラ２０１５で撮影して得た映像データを映像処理部２０５により解析し、解析の結果、当該映像に、ユーザの予め定めたポーズが含まれていると判定した場合に、退席や復帰の時間を検知してサーバ装置１０に送信することもできる。
【０２６９】
また、上述では、端末装置２０ｄは、会議閲覧画面７００において、ボタン７０７０ｂの操作に応じて、サーバ装置１０に対して、退席時からの情報を要求しているが、これはこの例に限定されない。例えば、端末装置２０ｄは、ボタン７０７０ｂの操作に応じて復帰の時間を示す時間情報を含むマーカ情報を生成し、このマーカ情報をＲＡＭ２００２に記憶させてもよい。端末装置２０ｄは、マーカの一覧を表示する操作がなされた場合に、図５０に例示されるように、退席を示すマーカ７４０１と、復帰を示すマーカ７４０２とを含むマーカ一覧画面７４０を表示させることができる。この場合、端末装置２０ｄは、例えば、マーカ７４０１および７４０２の何れかの操作に応じて、サーバ装置１０に対して、退席時からの情報を要求することが考えられる。
【０２７０】
さらに、上述では、時間ｔawyがユーザの会議からの一時退席の時間であり、時間ｔrtnがユーザの会議への復帰の時間であるとしたが、これはこの例に限定されない。すなわち、時間ｔawyおよびｔrtnは、前後関係さえ保たれていれば、サーバ装置１０において記録済みの音声データおよび映像データの任意の２点であって構わない。
【０２７１】
なお、上述の実施形態は、本発明の好適な実施の例ではあるがこれに限定されるものではなく、本発明の要旨を逸脱しない範囲において種々の変形による実施が可能である。
【符号の説明】
【０２７２】
１  情報処理システム
２ａ，２ｂ  会議室
１０  サーバ装置
２０ａ，２０ｂ，２０ｃ，２０ｄ  端末装置
２２  電子黒板
２３  センサＩ／Ｆ
２４1，２４2，…  センサ
２５  会議端末
１０１  ユーザ管理部
１０２  選択部
１０４  プロジェクト管理部
５００  会議管理画面
５１０  議題設定画面
５２０  会議開始画面
５３０  会議開始通知画面
５４０  描画画面
７００  会議閲覧画面
７１０  タイムライン表示画面
７２０  議題表示画面
７３０  アクションアイテム表示画面
７４０  マーカ一覧画面
７５０  情報表示画面
１１４０，１２４０  バッファメモリ
１１４１  音声処理部
１２４１  テキスト変換部
【先行技術文献】
【特許文献】
【０２７３】
【特許文献１】特開２００８−１７２５８２号公報
【図１】
2018032912.tif 000007
【図２】
2018032912.tif 000008
【図３】
2018032912.tif 000009
【図４】
2018032912.tif 000010
【図５】
2018032912.tif 000011
【図６】
2018032912.tif 000012
【図７】
2018032912.tif 000013
【図８】
2018032912.tif 000014
【図９】
2018032912.tif 000015
【図１０】
2018032912.tif 000016
【図１１】
2018032912.tif 000017
【図１２】
2018032912.tif 000018
【図１３】
2018032912.tif 000019
【図１４】
2018032912.tif 000020
【図１５】
2018032912.tif 000021
【図１６】
2018032912.tif 000022
【図１７】
2018032912.tif 000023
【図１８】
2018032912.tif 000024
【図１９】
2018032912.tif 000025
【図２０−１】
2018032912.tif 000026
【図２０−２】
2018032912.tif 000027
【図２１】
2018032912.tif 000028
【図２２】
2018032912.tif 000029
【図２３】
2018032912.tif 000030
【図２４】
2018032912.tif 000031
【図２５】
2018032912.tif 000032
【図２６】
2018032912.tif 000033
【図２７】
2018032912.tif 000034
【図２８】
2018032912.tif 000035
【図２９】
2018032912.tif 000036
【図３０】
2018032912.tif 000037
【図３１】
2018032912.tif 000038
【図３２】
2018032912.tif 000039
【図３３】
2018032912.tif 000040
【図３４】
2018032912.tif 000041
【図３５】
2018032912.tif 000042
【図３６】
2018032912.tif 000043
【図３７】
2018032912.tif 000044
【図３８】
2018032912.tif 000045
【図３９】
2018032912.tif 000046
【図４０】
2018032912.tif 000047
【図４１】
2018032912.tif 000048
【図４２】
2018032912.tif 000049
【図４３】
2018032912.tif 000050
【図４４】
2018032912.tif 000051
【図４５】
2018032912.tif 000052
【図４６】
2018032912.tif 000053
【図４７】
2018032912.tif 000054
【図４８】
2018032912.tif 000055
【図４９】
2018032912.tif 000056
【図５０】
2018032912.tif 000057